(57)【要約】本発明は、リソース構成方法及び装置、コンピュータ記憶媒体を開示し、前記方法は、端末はネットワーク機器によって送信された第１の制御情報を受信するステップであって、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであるステップと、前記端末は前記第１の制御情報に基づき、少なくとも２つのダウンリンクＢＷＰと少なくとも２つのアップリンクＢＷＰをアクティブ化するステップと、を含む。【選択図】図２
2021516893.tif 000002
【特許請求の範囲】
【請求項１】
リソース構成方法であって、前記方法は、
端末はネットワーク機器によって送信された第１の制御情報を受信するステップであって、前記第１の制御情報が第１の指示情報を含み、前記第１の指示情報がアクティブ化しようとする少なくとも２つのダウンリンク帯域幅部分ＢＷＰと少なくとも２つのアップリンクＢＷＰを決定するためのものであるステップと、
前記端末は前記第１の制御情報に基づき、少なくとも２つのダウンリンクＢＷＰと少なくとも２つのアップリンクＢＷＰをアクティブ化するステップと、を含むリソース構成方法。
【請求項２】
前記方法はさらに、
前記端末は前記ネットワーク機器によって送信された第１の構成情報を受信するステップであって、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含むステップを含む請求項１に記載の方法。
【請求項３】
前記端末は前記第１の制御情報に基づき、少なくとも２つのダウンリンクＢＷＰと少なくとも２つのアップリンクＢＷＰをアクティブ化するステップは、
前記第１の指示情報が第１のダウンリンクＢＷＰセット又は第１のアップリンクＢＷＰセットの指示情報である場合、前記端末は前記第１のダウンリンクＢＷＰセットにおける各ダウンリンクＢＷＰと前記第１のアップリンクＢＷＰセットにおける各アップリンクＢＷＰをアクティブ化するステップを含む請求項２に記載の方法。
【請求項４】
前記方法はさらに、
前記端末は前記ネットワーク機器によって送信された第２の構成情報を受信するステップであって、前記第２の構成情報が前記第１のダウンリンクＢＷＰセット及び／又は前記第１のアップリンクＢＷＰセットに対応する第１の持続時間情報を含むステップと、
前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するステップと、を含む請求項３に記載の方法。
【請求項５】
前記方法はさらに、
前記端末は前記ネットワーク機器によって送信された第３の構成情報を受信するステップであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むステップと、
前記第１のダウンリンクＢＷＰと前記第１のアップリンクＢＷＰがアクティブ化された持続時間が前記第２の持続時間に達する場合、前記第１のダウンリンクＢＷＰと前記第１のアップリンクＢＷＰを非アクティブ化するステップと、を含む請求項３に記載の方法。
【請求項６】
前記方法はさらに、
前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するステップを含む請求項４又は請求項５に記載の方法。
【請求項７】
前記端末は前記第１の制御情報に基づき、少なくとも２つのダウンリンクＢＷＰと少なくとも２つのアップリンクＢＷＰをアクティブ化するステップは、
前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰセットにおける各ダウンリンクＢＷＰと前記第２のアップリンクＢＷＰセットにおける各アップリンクＢＷＰをアクティブ化するステップを含む請求項２に記載の方法。
【請求項８】
前記方法はさらに、
前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰと前記第２のアップリンクＢＷＰをアクティブ化するステップを含む請求項２に記載の方法。
【請求項９】
前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む請求項７又は請求項８に記載の方法。
【請求項１０】
前記方法はさらに、
前記端末は前記ネットワーク機器によって送信された第４の構成情報を受信するステップであって、前記第４の構成情報が前記第２のダウンリンクＢＷＰと前記第２のアップリンクＢＷＰに対応する第３の持続時間情報を含むステップと、
前記第２のダウンリンクＢＷＰと前記第２のアップリンクＢＷＰがアクティブ化された持続時間が前記第３の持続時間に達する場合、前記第２のダウンリンクＢＷＰセットにおける各ダウンリンクＢＷＰと前記第２のアップリンクＢＷＰセットにおける各アップリンクＢＷＰを非アクティブ化するステップと、を含む請求項７に記載の方法。
【請求項１１】
前記方法はさらに、
前記端末は前記ネットワーク機器によって送信された第５の構成情報を受信するステップであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含むステップと、
前記第３のダウンリンクＢＷＰと前記第３のアップリンクＢＷＰがアクティブ化された持続時間が前記第４の持続時間に達する場合、前記第３のダウンリンクＢＷＰと前記第３のアップリンクＢＷＰを非アクティブ化するステップであって、前記第３のダウンリンクＢＷＰが前記第２のダウンリンクＢＷＰとは異なり、前記第３のアップリンクＢＷＰが前記第２のアップリンクＢＷＰとは異なるステップと、を含む請求項７又は請求項１０に記載の方法。
【請求項１２】
前記方法はさらに、
前記第２のダウンリンクＢＷＰセットにおける各ダウンリンクＢＷＰと前記第２のアップリンクＢＷＰセットにおける各アップリンクＢＷＰがいずれも非アクティブ化された場合、デフォルトのＢＷＰをアクティブ化するステップを含む請求項１０又は請求項１１に記載の方法。
【請求項１３】
リソース構成方法であって、前記方法は、
ネットワーク機器は端末に第１の制御情報を送信するステップであって、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、これにより前記端末は前記第１の制御情報に基づき、少なくとも２つのダウンリンクＢＷＰと少なくとも２つのアップリンクＢＷＰをアクティブ化するステップを含むリソース構成方法。
【請求項１４】
前記方法はさらに、
前記ネットワーク機器は前記端末に第１の構成情報を送信するステップであって、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含むステップを含む請求項１３に記載の方法。
【請求項１５】
前記第１の指示情報が第１のダウンリンクＢＷＰセット又は第１のアップリンクＢＷＰセットの指示情報である場合、前記第１の指示情報は前記端末に前記第１のダウンリンクＢＷＰセットにおける各ダウンリンクＢＷＰと前記第１のアップリンクＢＷＰセットにおける各アップリンクＢＷＰをアクティブ化させるためのものである請求項１４に記載の方法。
【請求項１６】
前記方法はさらに、
前記ネットワーク機器は前記端末に第２の構成情報を送信するステップであって、前記第２の構成情報が前記第１のダウンリンクＢＷＰセット及び／又は前記第１のアップリンクＢＷＰセットに対応する第１の持続時間情報を含むステップを含み、
前記第１の持続時間情報が、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記端末に前記第１のダウンリンクＢＷＰセットにおける各ダウンリンクＢＷＰと前記第１のアップリンクＢＷＰセットにおける各アップリンクＢＷＰを非アクティブ化させるためのものである請求項１５に記載の方法。
【請求項１７】
前記方法はさらに、
前記ネットワーク機器は前記端末に第３の構成情報を送信するステップであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むステップを含み、
前記第２の持続時間情報が、前記第１のダウンリンクＢＷＰと前記第１のアップリンクＢＷＰがアクティブ化された持続時間が前記第２の持続時間に達する場合、前記端末に前記第１のダウンリンクＢＷＰと前記第１のアップリンクＢＷＰを非アクティブ化させるためのものである請求項１５に記載の方法。
【請求項１８】
前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰセットにおける各ダウンリンクＢＷＰと前記第２のアップリンクＢＷＰセットにおける各アップリンクＢＷＰをアクティブ化させるためのものである請求項１４に記載の方法。
【請求項１９】
前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰと前記第２のアップリンクＢＷＰをアクティブ化させるためのものである請求項１４に記載の方法。
【請求項２０】
前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む請求項１８又は請求項１９に記載の方法。
【請求項２１】
前記方法はさらに、
前記ネットワーク機器は前記端末に第４の構成情報を送信するステップであって、前記第４の構成情報が前記第２のダウンリンクＢＷＰと前記第２のアップリンクＢＷＰに対応する第３の持続時間情報を含むステップを含み、
前記第３の持続時間情報が、前記第２のダウンリンクＢＷＰと前記第２のアップリンクＢＷＰがアクティブ化された持続時間が前記第３の持続時間に達する場合、前記端末に前記第２のダウンリンクＢＷＰセットにおける各ダウンリンクＢＷＰと前記第２のアップリンクＢＷＰセットにおける各アップリンクＢＷＰを非アクティブ化させるためのものである請求項１８に記載の方法。
【請求項２２】
前記方法はさらに、
前記ネットワーク機器は前記端末に第５の構成情報を送信するステップであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含むステップを含み、
前記第４の持続時間情報が、前記第３のダウンリンクＢＷＰと前記第３のアップリンクＢＷＰがアクティブ化された持続時間が前記第４の持続時間に達する場合、前記端末に前記第３のダウンリンクＢＷＰと前記第３のアップリンクＢＷＰを非アクティブ化させるためのものであり、前記第３のダウンリンクＢＷＰが前記第２のダウンリンクＢＷＰとは異なり、前記第３のアップリンクＢＷＰが前記第２のアップリンクＢＷＰとは異なる請求項１８又は請求項２１に記載の方法。
【請求項２３】
リソース構成装置であって、前記装置は、
ネットワーク機器によって送信された第１の制御情報を受信するための第１の受信ユニットであって、前記第１の制御情報が第１の指示情報を含み、前記第１の指示情報がアクティブ化しようとする少なくとも２つのダウンリンク帯域幅部分ＢＷＰと少なくとも２つのアップリンクＢＷＰを決定するためのものである第１の受信ユニットと、
前記第１の制御情報に基づき、少なくとも２つのダウンリンクＢＷＰと少なくとも２つのアップリンクＢＷＰをアクティブ化するためのアクティブ化ユニットと、を含むリソース構成装置。
【請求項２４】
前記装置はさらに、
前記ネットワーク機器によって送信された第１の構成情報を受信するための第２の受信ユニットであって、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含む第２の受信ユニットを含む請求項２３に記載の装置。
【請求項２５】
前記アクティブ化ユニットは、前記第１の指示情報が第１のダウンリンクＢＷＰセット又は第１のアップリンクＢＷＰセットの指示情報である場合、前記第１のダウンリンクＢＷＰセットにおける各ダウンリンクＢＷＰと前記第１のアップリンクＢＷＰセットにおける各アップリンクＢＷＰをアクティブ化するためのものである請求項２４に記載の装置。
【請求項２６】
前記装置はさらに、
前記ネットワーク機器によって送信された第２の構成情報を受信するための第３の受信ユニットであって、前記第２の構成情報が前記第１のダウンリンクＢＷＰセット及び／又は前記第１のアップリンクＢＷＰセットに対応する第１の持続時間情報を含む第３の受信ユニットと、
前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するための非アクティブ化ユニットと、を含む請求項２５に記載の装置。
【請求項２７】
前記装置はさらに、
前記ネットワーク機器によって送信された第３の構成情報を受信するための第４の受信ユニットであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含む第４の受信ユニットと、
前記第１のダウンリンクＢＷＰと前記第１のアップリンクＢＷＰがアクティブ化された持続時間が前記第２の持続時間に達する場合、前記第１のダウンリンクＢＷＰと前記第１のアップリンクＢＷＰを非アクティブ化するための非アクティブ化ユニットと、を含む請求項２５に記載の装置。
【請求項２８】
前記アクティブ化ユニットはさらに、前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するためのものである請求項２６又は請求項２７に記載の装置。
【請求項２９】
前記アクティブ化ユニットは、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰセットにおける各ダウンリンクＢＷＰと前記第２のアップリンクＢＷＰセットにおける各アップリンクＢＷＰをアクティブ化するためのものである請求項２４に記載の装置。
【請求項３０】
前記アクティブ化ユニットは、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰと前記第２のアップリンクＢＷＰをアクティブ化するためのものである請求項２４に記載の装置。
【請求項３１】
前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む請求項２９又は請求項３０に記載の装置。
【請求項３２】
前記装置はさらに、
前記ネットワーク機器によって送信された第４の構成情報を受信するための第５の受信ユニットであって、前記第４の構成情報が前記第２のダウンリンクＢＷＰと前記第２のアップリンクＢＷＰに対応する第３の持続時間情報を含む第５の受信ユニットと、
前記第２のダウンリンクＢＷＰと前記第２のアップリンクＢＷＰがアクティブ化された持続時間が前記第３の持続時間に達する場合、前記第２のダウンリンクＢＷＰセットにおける各ダウンリンクＢＷＰと前記第２のアップリンクＢＷＰセットにおける各アップリンクＢＷＰを非アクティブ化するための非アクティブ化ユニットと、を含む請求項２９に記載の装置。
【請求項３３】
前記装置はさらに、
前記ネットワーク機器によって送信された第５の構成情報を受信するための第６の受信ユニットであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含む第６の受信ユニットと、
前記第３のダウンリンクＢＷＰと前記第３のアップリンクＢＷＰがアクティブ化された持続時間が前記第４の持続時間に達する場合、前記第３のダウンリンクＢＷＰと前記第３のアップリンクＢＷＰを非アクティブ化するための非アクティブ化ユニットであって、前記第３のダウンリンクＢＷＰが前記第２のダウンリンクＢＷＰとは異なり、前記第３のアップリンクＢＷＰが前記第２のアップリンクＢＷＰとは異なる非アクティブ化ユニットと、を含む請求項２９又は請求項３２に記載の装置。
【請求項３４】
前記アクティブ化ユニットはさらに、前記第２のダウンリンクＢＷＰセットにおける各ダウンリンクＢＷＰと前記第２のアップリンクＢＷＰセットにおける各アップリンクＢＷＰがいずれも非アクティブ化された場合、デフォルトのＢＷＰをアクティブ化するためのものである請求項３２又は請求項３３に記載の装置。
【請求項３５】
リソース構成装置であって、前記装置は、
端末に第１の制御情報を送信するための第１の送信ユニットであって、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、これにより前記端末は前記第１の制御情報に基づき、少なくとも２つのダウンリンクＢＷＰと少なくとも２つのアップリンクＢＷＰをアクティブ化する第１の送信ユニットを含むリソース構成装置。
【請求項３６】
前記装置はさらに、
前記端末に第１の構成情報を送信するための第２の送信ユニットであって、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含む第２の送信ユニットを含む請求項３５に記載の装置。
【請求項３７】
前記第１の指示情報が第１のダウンリンクＢＷＰセット又は第１のアップリンクＢＷＰセットの指示情報である場合、前記第１の指示情報は前記端末に前記第１のダウンリンクＢＷＰセットにおける各ダウンリンクＢＷＰと前記第１のアップリンクＢＷＰセットにおける各アップリンクＢＷＰをアクティブ化させるためのものである請求項３６に記載の装置。
【請求項３８】
前記装置はさらに、
前記端末に第２の構成情報を送信するための第３の送信ユニットであって、前記第２の構成情報が前記第１のダウンリンクＢＷＰセット及び／又は前記第１のアップリンクＢＷＰセットに対応する第１の持続時間情報を含む第３の送信ユニットを含み、
前記第１の持続時間情報が、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記端末に前記第１のダウンリンクＢＷＰセットにおける各ダウンリンクＢＷＰと前記第１のアップリンクＢＷＰセットにおける各アップリンクＢＷＰを非アクティブ化させるためのものである請求項３７に記載の装置。
【請求項３９】
前記装置はさらに、
前記端末に第３の構成情報を送信するための第４の送信ユニットであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含む第４の送信ユニットを含み、
前記第２の持続時間情報が、前記第１のダウンリンクＢＷＰと前記第１のアップリンクＢＷＰがアクティブ化された持続時間が前記第２の持続時間に達する場合、前記端末に前記第１のダウンリンクＢＷＰと前記第１のアップリンクＢＷＰを非アクティブ化させるためのものである請求項３７に記載の装置。
【請求項４０】
前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰセットにおける各ダウンリンクＢＷＰと前記第２のアップリンクＢＷＰセットにおける各アップリンクＢＷＰをアクティブ化させるためのものである請求項３６に記載の装置。
【請求項４１】
前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰと前記第２のアップリンクＢＷＰをアクティブ化させるためのものである請求項３６に記載の装置。
【請求項４２】
前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む請求項４０又は請求項４１に記載の装置。
【請求項４３】
前記装置はさらに、
前記端末に第４の構成情報を送信するための第５の送信ユニットであって、前記第４の構成情報が前記第２のダウンリンクＢＷＰと前記第２のアップリンクＢＷＰに対応する第３の持続時間情報を含む第５の送信ユニットを含み、
前記第３の持続時間情報が、前記第２のダウンリンクＢＷＰと前記第２のアップリンクＢＷＰがアクティブ化された持続時間が前記第３の持続時間に達する場合、前記端末に前記第２のダウンリンクＢＷＰセットにおける各ダウンリンクＢＷＰと前記第２のアップリンクＢＷＰセットにおける各アップリンクＢＷＰを非アクティブ化させるためのものである請求項４０に記載の装置。
【請求項４４】
前記装置はさらに、
前記端末に第５の構成情報を送信するための第６の送信ユニットであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含む第６の送信ユニットを含み、
前記第４の持続時間情報が、前記第３のダウンリンクＢＷＰと前記第３のアップリンクＢＷＰがアクティブ化された持続時間が前記第４の持続時間に達する場合、前記端末に前記第３のダウンリンクＢＷＰと前記第３のアップリンクＢＷＰを非アクティブ化させるためのものであり、前記第３のダウンリンクＢＷＰが前記第２のダウンリンクＢＷＰとは異なり、前記第３のアップリンクＢＷＰが前記第２のアップリンクＢＷＰとは異なる請求項４０又は請求項４３に記載の装置。
【請求項４５】
コンピュータ記憶媒体であって、前記コンピュータ記憶媒体がコンピュータ実行可能な命令が記憶されており、該コンピュータ実行可能な命令がプロセッサによって実行される時請求項１〜請求項１２のいずれか１項に記載の方法のステップ、または請求項１３〜請求項２２のいずれか１項に記載の方法のステップを実現するコンピュータ記憶媒体。
【発明の詳細な説明】
【技術分野】
【０００１】
本発明は、無線通信技術の分野に関し、特にリソース構成方法及び装置、コンピュータ記憶媒体に関する。
【背景技術】
【０００２】
ロングタームエボリューション（ＬＴＥ（登録商標）、Ｌｏｎｇ  Ｔｅｒｍ  Ｅｖｏｌｕｔｉｏｎ）システムにおいて、端末の周波数ドメインリソースは、システム帯域幅全体で配分されている。第５世代（５Ｇ、５ｔｈ  Ｇｅｎｅｒａｔｉｏｎ）ニューラジオ（ＮＲ、Ｎｅｗ  Ｒａｄｉｏ）システムにおいて、システム帯域幅が大幅に向上したため、端末の伝送帯域幅は、システム帯域幅の一部しか占有しない可能性がある。
【０００３】
５Ｇ  ＮＲに対する現在の研究では、システム帯域幅より小さい範囲での周波数ドメインリソースの配分を実現するように、帯域幅部分（ＢＷＰ、Ｂａｎｄ  Ｗｉｄｔｈ  Ｐａｒｔ）の概念を導入することがすでに決定されている。基地局は、無線リソース制御（ＲＲＣ、Ｒａｄｉｏ  Ｒｅｓｏｕｒｃｅ  Ｃｏｎｔｒｏｌ）シグナリングを介して複数のＢＷＰを構成し、そして、ダウンリンク制御情報（ＤＣＩ、Ｄｏｗｎｌｉｎｋ  Ｃｏｎｔｒｏｌ  Ｉｎｆｏｒｍａｔｉｏｎ）でとあるＢＷＰを動的にアクティブ化する。各種類のＢＷＰがサブキャリア間隔、サイクリックプレフィックス（ＣＰ、Ｃｙｃｌｉｃ  Ｐｒｅｆｉｘ）を含むパラメータセットに基づくものである。現在の解決手段の場合、１つの端末について、１つのＢＷＰしかアクティブ化できず、１つの新たなＢＷＰをアクティブ化すると同時に、元のＢＷＰが非アクティブ化される。
【０００４】
図１に示すように、ＢＷＰ１がアクティブ化された状態である場合、ＢＷＰ２をアクティブ化すると、ＢＷＰ１が非アクティブ化され、ＢＷＰ１も非アクティブ化されると、デフォルトのＢＷＰにフォールバックする。
【０００５】
従来の技術的解決手段によって複数のＢＷＰの同時アクティブ化を支援できず、そして、複数種のパラメータセットの同時使用を支援することもできず、さらに、複数種のタイプのサービスを並行して伝送する時に異なるサービスのそれぞれのパラメータセットを最適化することもできない。かつ、２種のパラメータセット間で切り替えると、２つのＢＷＰ間の切り替えも発生し、端末の無線周波数帯域幅も変換されるようになり、無線周波数帯域幅の変換によって一定の時間内での端末によるデータの送受信もできなくなり、これにより、周波数スペクトルリソースが浪費されるようになる。
【発明の概要】
【発明が解決しようとする課題】
【０００６】
本発明の実施例は、上記技術的問題を解決するために、リソース構成方法及び装置、コンピュータ記憶媒体を提供する。
【課題を解決するための手段】
【０００７】
本発明の実施例に係るリソース構成方法は、
端末はネットワーク機器によって送信された第１の制御情報を受信するステップであって、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであるステップと、
前記端末は前記第１の制御情報に基づき、少なくとも２つのダウンリンクＢＷＰと少なくとも２つのアップリンクＢＷＰをアクティブ化するステップと、を含む。
【０００８】
本発明の実施例において、前記方法は、さらに、
前記端末は前記ネットワーク機器によって送信された第１の構成情報を受信するステップであって、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含むステップを含む。
【０００９】
本発明の実施例において、前記端末は前記第１の制御情報に基づき、少なくとも２つのダウンリンクＢＷＰと少なくとも２つのアップリンクＢＷＰをアクティブ化するステップは、
前記第１の指示情報が第１のダウンリンクＢＷＰセット又は第１のアップリンクＢＷＰセットの指示情報である場合、前記端末は前記第１のダウンリンクＢＷＰセットにおける各ダウンリンクＢＷＰと前記第１のアップリンクＢＷＰセットにおける各アップリンクＢＷＰをアクティブ化するステップを含む。
【００１０】
本発明の実施例において、前記方法は、さらに、
前記端末は前記ネットワーク機器によって送信された第２の構成情報を受信するステップであって、前記第２の構成情報が前記第１のダウンリンクＢＷＰセット及び／又は前記第１のアップリンクＢＷＰセットに対応する第１の持続時間情報を含むステップと、
前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するステップと、を含む。
【００１１】
本発明の実施例において、前記方法は、さらに、
前記端末は前記ネットワーク機器によって送信された第３の構成情報を受信するステップであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むステップと、
前記第１のダウンリンクＢＷＰと前記第１のアップリンクＢＷＰがアクティブ化された持続時間が前記第２の持続時間に達する場合、前記第１のダウンリンクＢＷＰと前記第１のアップリンクＢＷＰを非アクティブ化するステップと、を含む。
【００１２】
本発明の実施例において、前記方法は、さらに、
前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するステップを含む。
【００１３】
本発明の実施例において、前記端末は前記第１の制御情報に基づき、少なくとも２つのダウンリンクＢＷＰと少なくとも２つのアップリンクＢＷＰをアクティブ化するステップは、
前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰセットにおける各ダウンリンクＢＷＰと前記第２のアップリンクＢＷＰセットにおける各アップリンクＢＷＰをアクティブ化するステップを含む。
【００１４】
本発明の実施例において、前記方法は、さらに、
前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰと前記第２のアップリンクＢＷＰをアクティブ化するステップを含む。
【００１５】
本発明の実施例において、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【００１６】
本発明の実施例において、前記方法は、さらに、
前記端末は前記ネットワーク機器によって送信された第４の構成情報を受信するステップであって、前記第４の構成情報が前記第２のダウンリンクＢＷＰと前記第２のアップリンクＢＷＰに対応する第３の持続時間情報を含むステップと、
前記第２のダウンリンクＢＷＰと前記第２のアップリンクＢＷＰがアクティブ化された持続時間が前記第３の持続時間に達する場合、前記第２のダウンリンクＢＷＰセットにおける各ダウンリンクＢＷＰと前記第２のアップリンクＢＷＰセットにおける各アップリンクＢＷＰを非アクティブ化するステップと、を含む。
【００１７】
本発明の実施例において、前記方法は、さらに、
前記端末は前記ネットワーク機器によって送信された第５の構成情報を受信するステップであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含むステップと、
前記第３のダウンリンクＢＷＰと前記第３のアップリンクＢＷＰがアクティブ化された持続時間が前記第４の持続時間に達する場合、前記第３のダウンリンクＢＷＰと前記第３のアップリンクＢＷＰを非アクティブ化するステップであって、前記第３のダウンリンクＢＷＰが前記第２のダウンリンクＢＷＰとは異なり、前記第３のアップリンクＢＷＰが前記第２のアップリンクＢＷＰとは異なるステップと、を含む。
【００１８】
本発明の実施例において、前記方法は、さらに、
前記第２のダウンリンクＢＷＰセットにおける各ダウンリンクＢＷＰと前記第２のアップリンクＢＷＰセットにおける各アップリンクＢＷＰがいずれも非アクティブ化された場合、デフォルトのＢＷＰをアクティブ化するステップを含む。
【００１９】
本発明の実施例に係るリソース構成方法は、
ネットワーク機器は端末に第１の制御情報を送信するステップであって、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、これにより前記端末は前記第１の制御情報に基づき、少なくとも２つのダウンリンクＢＷＰと少なくとも２つのアップリンクＢＷＰをアクティブ化するステップを含む。
【００２０】
本発明の実施例において、前記方法は、さらに、
前記ネットワーク機器は前記端末に第１の構成情報を送信するステップであって、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含むステップを含む。
【００２１】
本発明の実施例において、前記第１の指示情報が第１のダウンリンクＢＷＰセット又は第１のアップリンクＢＷＰセットの指示情報である場合、前記第１の指示情報は前記端末に前記第１のダウンリンクＢＷＰセットにおける各ダウンリンクＢＷＰと前記第１のアップリンクＢＷＰセットにおける各アップリンクＢＷＰをアクティブ化させるためのものである。
【００２２】
本発明の実施例において、前記方法は、さらに、
前記ネットワーク機器は前記端末に第２の構成情報を送信するステップであって、前記第２の構成情報が前記第１のダウンリンクＢＷＰセット及び／又は前記第１のアップリンクＢＷＰセットに対応する第１の持続時間情報を含むステップを含み、
前記第１の持続時間情報が、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記端末に前記第１のダウンリンクＢＷＰセットにおける各ダウンリンクＢＷＰと前記第１のアップリンクＢＷＰセットにおける各アップリンクＢＷＰを非アクティブ化させるためのものである。
【００２３】
本発明の実施例において、前記方法は、さらに、
前記ネットワーク機器は前記端末に第３の構成情報を送信するステップであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むステップを含み、
前記第２の持続時間情報が、前記第１のダウンリンクＢＷＰと前記第１のアップリンクＢＷＰがアクティブ化された持続時間が前記第２の持続時間に達する場合、前記端末に前記第１のダウンリンクＢＷＰと前記第１のアップリンクＢＷＰを非アクティブ化させるためのものである。
【００２４】
本発明の実施例において、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰセットにおける各ダウンリンクＢＷＰと前記第２のアップリンクＢＷＰセットにおける各アップリンクＢＷＰをアクティブ化させるためのものである。
【００２５】
本発明の実施例において、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰと前記第２のアップリンクＢＷＰをアクティブ化させるためのものである。
【００２６】
本発明の実施例において、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【００２７】
本発明の実施例において、前記方法は、さらに、
前記ネットワーク機器は前記端末に第４の構成情報を送信するステップであって、前記第４の構成情報が前記第２のダウンリンクＢＷＰと前記第２のアップリンクＢＷＰに対応する第３の持続時間情報を含むステップを含み、
前記第３の持続時間情報が、前記第２のダウンリンクＢＷＰと前記第２のアップリンクＢＷＰがアクティブ化された持続時間が前記第３の持続時間に達する場合、前記端末に前記第２のダウンリンクＢＷＰセットにおける各ダウンリンクＢＷＰと前記第２のアップリンクＢＷＰセットにおける各アップリンクＢＷＰを非アクティブ化させるためのものである。
【００２８】
本発明の実施例において、前記方法は、さらに、
前記ネットワーク機器は前記端末に第５の構成情報を送信するステップであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含むステップを含み、
前記第４の持続時間情報が、前記第３のダウンリンクＢＷＰと前記第３のアップリンクＢＷＰがアクティブ化された持続時間が前記第４の持続時間に達する場合、前記端末に前記第３のダウンリンクＢＷＰと前記第３のアップリンクＢＷＰを非アクティブ化させるためのものであり、前記第３のダウンリンクＢＷＰが前記第２のダウンリンクＢＷＰとは異なり、前記第３のアップリンクＢＷＰが前記第２のアップリンクＢＷＰとは異なる。
【００２９】
本発明の実施例に係るリソース構成装置は、
ネットワーク機器によって送信された第１の制御情報を受信するための第１の受信ユニットであって、前記第１の制御情報が第１の指示情報を含み、前記第１の指示情報がアクティブ化しようとする少なくとも２つのダウンリンク帯域幅部分ＢＷＰと少なくとも２つのアップリンクＢＷＰを決定するためのものである第１の受信ユニットと、
前記第１の制御情報に基づき、少なくとも２つのダウンリンクＢＷＰと少なくとも２つのアップリンクＢＷＰをアクティブ化するためのアクティブ化ユニットと、を含む。
【００３０】
本発明の実施例において、前記装置は、さらに、
前記ネットワーク機器によって送信された第１の構成情報を受信するための第２の受信ユニットであって、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含む第２の受信ユニットを含む。
【００３１】
本発明の実施例において、前記アクティブ化ユニットは、前記第１の指示情報が第１のダウンリンクＢＷＰセット又は第１のアップリンクＢＷＰセットの指示情報である場合、前記第１のダウンリンクＢＷＰセットにおける各ダウンリンクＢＷＰと前記第１のアップリンクＢＷＰセットにおける各アップリンクＢＷＰをアクティブ化するためのものである。
【００３２】
本発明の実施例において、前記装置は、さらに、
前記ネットワーク機器によって送信された第２の構成情報を受信するための第３の受信ユニットであって、前記第２の構成情報が前記第１のダウンリンクＢＷＰセット及び／又は前記第１のアップリンクＢＷＰセットに対応する第１の持続時間情報を含む第３の受信ユニットと、
前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するための非アクティブ化ユニットと、を含む。
【００３３】
本発明の実施例において、前記装置は、さらに、
前記ネットワーク機器によって送信された第３の構成情報を受信するための第４の受信ユニットであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むための第４の受信ユニットと、
前記第１のダウンリンクＢＷＰと前記第１のアップリンクＢＷＰがアクティブ化された持続時間が前記第２の持続時間に達する場合、前記第１のダウンリンクＢＷＰと前記第１のアップリンクＢＷＰを非アクティブ化するための非アクティブ化ユニットと、を含む。
【００３４】
本発明の実施例において、前記アクティブ化ユニットはさらに、前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するためのものである。
【００３５】
本発明の実施例において、前記アクティブ化ユニットは、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰセットにおける各ダウンリンクＢＷＰと前記第２のアップリンクＢＷＰセットにおける各アップリンクＢＷＰをアクティブ化するためのものである。
【００３６】
本発明の実施例において、前記アクティブ化ユニットは、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰと前記第２のアップリンクＢＷＰをアクティブ化するためのものである。
【００３７】
本発明の実施例において、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【００３８】
本発明の実施例において、前記装置はさらに、
前記ネットワーク機器によって送信された第４の構成情報を受信するための第５の受信ユニットであって、前記第４の構成情報が前記第２のダウンリンクＢＷＰと前記第２のアップリンクＢＷＰに対応する第３の持続時間情報を含む第５の受信ユニットと、
前記第２のダウンリンクＢＷＰと前記第２のアップリンクＢＷＰがアクティブ化された持続時間が前記第３の持続時間に達する場合、前記第２のダウンリンクＢＷＰセットにおける各ダウンリンクＢＷＰと前記第２のアップリンクＢＷＰセットにおける各アップリンクＢＷＰを非アクティブ化するための非アクティブ化ユニットと、を含む。
【００３９】
本発明の実施例において、前記装置はさらに、
前記ネットワーク機器によって送信された第５の構成情報を受信するための第６の受信ユニットであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含む第６の受信ユニットと、
前記第３のダウンリンクＢＷＰと前記第３のアップリンクＢＷＰがアクティブ化された持続時間が前記第４の持続時間に達する場合、前記第３のダウンリンクＢＷＰと前記第３のアップリンクＢＷＰを非アクティブ化するための非アクティブ化ユニットであって、前記第３のダウンリンクＢＷＰが前記第２のダウンリンクＢＷＰとは異なり、前記第３のアップリンクＢＷＰが前記第２のアップリンクＢＷＰとは異なる非アクティブ化ユニットと、を含む。
【００４０】
本発明の実施例において、前記アクティブ化ユニットはさらに、前記第２のダウンリンクＢＷＰセットにおける各ダウンリンクＢＷＰと前記第２のアップリンクＢＷＰセットにおける各アップリンクＢＷＰがいずれも非アクティブ化された場合、デフォルトのＢＷＰをアクティブ化するためのものである。
【００４１】
本発明の実施例に係るリソース構成装置は、
端末に第１の制御情報を送信するための第１の送信ユニットであって、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、これにより前記端末は前記第１の制御情報に基づき、少なくとも２つのダウンリンクＢＷＰと少なくとも２つのアップリンクＢＷＰをアクティブ化するための第１の送信ユニットを含む。
【００４２】
本発明の実施例において、前記装置はさらに、
前記端末に第１の構成情報を送信するための第２の送信ユニットであって、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含む第２の送信ユニットを含む。
【００４３】
本発明の実施例において、前記第１の指示情報が第１のダウンリンクＢＷＰセット又は第１のアップリンクＢＷＰセットの指示情報である場合、前記第１の指示情報は前記端末に前記第１のダウンリンクＢＷＰセットにおける各ダウンリンクＢＷＰと前記第１のアップリンクＢＷＰセットにおける各アップリンクＢＷＰをアクティブ化させるためのものである。
【００４４】
本発明の実施例において、前記装置は、さらに、
前記端末に第２の構成情報を送信するための第３の送信ユニットであって、前記第２の構成情報が前記第１のダウンリンクＢＷＰセット及び／又は前記第１のアップリンクＢＷＰセットに対応する第１の持続時間情報を含む第３の送信ユニットを含み、
前記第１の持続時間情報が、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記端末に前記第１のダウンリンクＢＷＰセットにおける各ダウンリンクＢＷＰと前記第１のアップリンクＢＷＰセットにおける各アップリンクＢＷＰを非アクティブ化させるためのものである。
【００４５】
本発明の実施例において、前記装置は、さらに、
前記端末に第３の構成情報を送信するための第４の送信ユニットであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含む第４の送信ユニットを含み、
前記第２の持続時間情報が、前記第１のダウンリンクＢＷＰと前記第１のアップリンクＢＷＰがアクティブ化された持続時間が前記第２の持続時間に達する場合、前記端末に前記第１のダウンリンクＢＷＰと前記第１のアップリンクＢＷＰを非アクティブ化させるためのものである。
【００４６】
本発明の実施例において、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰセットにおける各ダウンリンクＢＷＰと前記第２のアップリンクＢＷＰセットにおける各アップリンクＢＷＰをアクティブ化させるためのものである。
【００４７】
本発明の実施例において、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰと前記第２のアップリンクＢＷＰをアクティブ化させるためのものである。
【００４８】
本発明の実施例において、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【００４９】
本発明の実施例において、前記装置は、さらに、
前記端末に第４の構成情報を送信するための第５の送信ユニットであって、前記第４の構成情報が前記第２のダウンリンクＢＷＰと前記第２のアップリンクＢＷＰに対応する第３の持続時間情報を含む第５の送信ユニットを含み、
前記第３の持続時間情報が、前記第２のダウンリンクＢＷＰと前記第２のアップリンクＢＷＰがアクティブ化された持続時間が前記第３の持続時間に達する場合、前記端末に前記第２のダウンリンクＢＷＰセットにおける各ダウンリンクＢＷＰと前記第２のアップリンクＢＷＰセットにおける各アップリンクＢＷＰを非アクティブ化させるためのものである。
【００５０】
本発明の実施例において、前記装置は、さらに、
前記端末に第５の構成情報を送信するための第６の送信ユニットであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含む第６の送信ユニットを含み、
前記第４の持続時間情報が、前記第３のダウンリンクＢＷＰと前記第３のアップリンクＢＷＰがアクティブ化された持続時間が前記第４の持続時間に達する場合、前記端末に前記第３のダウンリンクＢＷＰと前記第３のアップリンクＢＷＰを非アクティブ化させるためのものであり、前記第３のダウンリンクＢＷＰが前記第２のダウンリンクＢＷＰとは異なり、前記第３のアップリンクＢＷＰが前記第２のアップリンクＢＷＰとは異なる。
【００５１】
本発明の実施例に係るコンピュータ記憶媒体は、コンピュータ実行可能な命令が記憶されており、該コンピュータ実行可能な命令がプロセッサによって実行される時、上記のリソース構成方法を実現する。
【発明の効果】
【００５２】
本発明の実施例の技術的解決手段では、端末はネットワーク機器によって送信された第１の制御情報を受信し、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、前記端末は前記第１の制御情報に基づき、少なくとも２つのダウンリンクＢＷＰと少なくとも２つのアップリンクＢＷＰをアクティブ化する。本発明の実施例の技術的解決手段を採り、帯域幅部分セット（ＢＷＰ  ｓｅｔ）の概念が導入され、ＢＷＰセットを構成することで複数の帯域幅部分ペア（ＢＷＰペア）の同時アクティブ化が実現でき、アクティブ化された複数のＢＷＰペア（１つのＢＷＰペアが１つのアップリンクＢＷＰと１つのダウンリンクＢＷＰを含む）を利用した信号伝送は、複数のタイプのサービスの同時伝送を柔軟に支持し、システムのスケジューリングの柔軟性と周波数スペクトルの利用率を向上させることができる。
【図面の簡単な説明】
【００５３】
本明細書で説明する図面は、本発明のさらなる理解を提供するためのものであり、本願の一部を構成しており、本発明の例示的実施例及びそれらの説明は、本発明を解釈するためのものであり、本発明に対する過度の制限を構成しない。
【図１】アクティブ化された状態であるＢＷＰが１つしかない場合の概略図である。
【図２】本発明の実施例に係るリソース構成方法のフローチャート１である。
【図３】本発明の実施例に係るリソース構成方法のフローチャート２である。
【図４】本発明の実施例に係るＢＷＰペアセット（ｐａｉｒ  ｓｅｔ）におけるＢＷＰが同時に非アクティブ化された場合の概略図である。
【図５】本発明の実施例に係るＢＷＰペアセットにおけるＢＷＰがそれぞれ非アクティブ化された場合の概略図である。
【図６】本発明の実施例に係る１つのＢＷＰペアセットにおけるＢＷＰの周波数ドメイン位置と帯域幅の大きさが同じである場合の概略図である。
【図７】本発明の実施例に係る１つのＢＷＰペアセットでは、ＤＬ  ＢＷＰ２、…、ＤＬ  ＢＷＰＮの周波数ドメイン範囲がＤＬ  ＢＷＰ１の周波数ドメイン範囲内にあり、ＵＬ  ＢＷＰ２、…、ＵＬ  ＢＷＰＮの周波数ドメイン範囲がＵＬ  ＢＷＰ１の周波数ドメイン範囲内にある場合の概略図である。
【図８】本発明の実施例の周波数ドメイン位置と帯域幅の大きさが同じであるＢＷＰペアが同時に非アクティブ化された場合の概略図である。
【図９】本発明の実施例に係るＤＬ  ＢＷＰ１、ＵＬ  ＢＷＰ１に対するｔｉｍｅｒ１が期限切れ（ｅｘｐｉｒｅ）になった後、ＤＬ  ＢＷＰ１、ＵＬ  ＢＷＰ１と、ＤＬ  ＢＷＰ１、ＵＬ  ＢＷＰ１の周波数ドメイン範囲内にあるＤＬ  ＢＷＰ２、ＵＬ  ＢＷＰ２とが同時に非アクティブ化された場合の概略図である。
【図１０】本発明の実施例に係るＤＬ  ＢＷＰ２、ＵＬ  ＢＷＰ２がＤＬ  ＢＷＰ１、ＵＬ  ＢＷＰ１より先に非アクティブ化された場合の概略図である。
【図１１】本発明の実施例に係るＤＬ  ＢＷＰ１、ＵＬ  ＢＷＰ１がＤＬ  ＢＷＰ２、ＵＬ  ＢＷＰ２より先に非アクティブ化された場合の概略図である。
【図１２】本発明の実施例に係るリソース構成装置の構造構成概略図１である。
【図１３】本発明の実施例に係るリソース構成装置の構造構成概略図２である。
【図１４】本発明の実施例に係るコンピュータ機器の構造構成概略図である。
【発明を実施するための形態】
【００５４】
本発明の実施例の特徴及び技術的内容をより詳細に理解するために、以下は、図面を合わせて本発明の実施例の実現を詳細に説明し、添付の図面は参照説明のためだけであり、本発明の実施例を限定するためのものではない。
【００５５】
図２は、本発明の実施例に係るリソース構成方法のフローチャート１であり、図２に示すように、前記リソース構成方法は以下のステップを含む。
【００５６】
ステップ２０１において、端末はネットワーク機器によって送信された第１の制御情報を受信し、前記第１の制御情報が第１の指示情報を含み、前記第１の指示情報がアクティブ化しようとする少なくとも２つのダウンリンクＢＷＰと少なくとも２つのアップリンクＢＷＰを決定するためのものである。
【００５７】
本発明の実施例において、前記端末は、携帯電話、タブレット、ラップトップ、デスクトップなどのネットワークと通信できる任意の機器であってもよい。
【００５８】
本発明の実施例において、前記ネットワーク機器は、基地局、例えば、５ＧシステムのｇＮＢであってもよい。
【００５９】
本発明の実施例において、前記第１の制御情報は、ＤＣＩ又はメディアアクセス制御の制御要素（ＭＡＣ  ＣＥ、Ｍｅｄｉａ  Ａｃｃｅｓｓ  Ｃｏｎｔｒｏｌ  Ｃｏｎｔｒｏｌ  Ｅｌｅｍｅｎｔ）である。
【００６０】
ステップ２０２において、前記端末は前記第１の制御情報に基づき、少なくとも２つのダウンリンクＢＷＰと少なくとも２つのアップリンクＢＷＰをアクティブ化する。
【００６１】
本発明の実施例において、前記端末は前記ネットワーク機器によって送信された第１の構成情報を受信し、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含む。
【００６２】
ここでは、１つのＢＷＰセットの構成情報は該ＢＷＰセットに含まれる各ＢＷＰのＢＷＰ  ＩＤ、周波数ドメイン位置、帯域幅の大きさ、パラメータセットを含み、パラメータセットがサブキャリア間隔とＣＰを含む。
【００６３】
注意すべきものとして、本発明の実施例に係るダウンリンクＢＷＰとアップリンクＢＷＰはペアで現れ、例えば、ダウンリンクＢＷＰ１とアップリンクＢＷＰ１は共にアクティブ化されたり、又は共に非アクティブ化されたりする必要がある。
【００６４】
本発明の実施例において、前記第１の構成情報がＲＲＣシグナリング又はシステム情報（ＳＩ、Ｓｙｓｔｅｍ  Ｉｎｆｏｒｍａｔｉｏｎ）である。
【００６５】
本発明の実施例において、前記端末は前記第１の制御情報に基づき、少なくとも２つのダウンリンクＢＷＰと少なくとも２つのアップリンクＢＷＰをアクティブ化するステップは、以下の形態によって実現され得る。
【００６６】
形態１において、前記第１の指示情報が第１のダウンリンクＢＷＰセット又は第１のアップリンクＢＷＰセットの指示情報である場合、前記端末は前記第１のダウンリンクＢＷＰセットにおける各ダウンリンクＢＷＰと前記第１のアップリンクＢＷＰセットにおける各アップリンクＢＷＰをアクティブ化する。
【００６７】
例えば、第１の構成情報にダウンリンクの第１のＤＬ  ＢＷＰセットとアップリンクの第１のＵＬ  ＢＷＰセットに対する構成情報が含まれ、第１のＤＬ  ＢＷＰセットにＤＬ＿ＢＷＰ１、…、ＤＬ＿ＢＷＰＮ（Ｎ≧２）が含まれ、第１のＵＬ  ＢＷＰセットにＵＬ＿ＢＷＰ１、…、ＵＬ＿ＢＷＰＮ（Ｎ≧２）が含まれる。端末は、前記第１のＤＬ  ＢＷＰセット又は第２のＵＬ  ＢＷＰセットの指示情報が含まれる第１の制御情報を受信した後、ＤＬ＿ＢＷＰ１、…、ＤＬ＿ＢＷＰＮとＵＬ＿ＢＷＰ１、…、ＵＬ＿ＢＷＰＮをアクティブ化し、前記ＤＬ＿ＢＷＰ１、…、ＤＬ＿ＢＷＰＮがダウンリンクアクティブ化ＢＷＰとなり、前記ＵＬ＿ＢＷＰ１、…、ＵＬ＿ＢＷＰＮがアップリンクアクティブ化ＢＷＰとなる。
【００６８】
１つの実施形態では、前記方法はさらに、前記端末は前記ネットワーク機器によって送信された第２の構成情報を受信するステップであって、前記第２の構成情報が前記第１のダウンリンクＢＷＰセット及び／又は前記第１のアップリンクＢＷＰセットに対応する第１の持続時間情報を含むステップと、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するステップと、を含む。
【００６９】
例えば、端末はネットワーク機器から第２の構成情報を受信し、前記第２の構成情報の構成に前記第１のＤＬ  ＢＷＰセット及び／又は第１のＵＬ  ＢＷＰセットに対するタイマー（ｓｅｔ＿ｔｉｍｅｒ）の情報が含まれ、ｓｅｔ＿ｔｉｍｅｒが期限切れ（ｅｘｐｉｒｅ）になった後、前記ＤＬ＿ＢＷＰ１、…、ＤＬ＿ＢＷＰＮとＢＷＰ、ＵＬ＿ＢＷＰ１、…、ＵＬ＿ＢＷＰＮが非アクティブ化される。
【００７０】
１つの実施形態では、前記方法はさらに、前記端末は前記ネットワーク機器によって送信された第３の構成情報を受信するステップであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むステップと、前記第１のダウンリンクＢＷＰと前記第１のアップリンクＢＷＰがアクティブ化された持続時間が前記第２の持続時間に達する場合、前記第１のダウンリンクＢＷＰと前記第１のアップリンクＢＷＰを非アクティブ化するステップと、を含む。
【００７１】
例えば、端末はネットワーク機器から第３の構成情報を受信し、前記第３の構成情報の構成にＤＬ  ＢＷＰｉ、ＵＬ  ＢＷＰｉ（ｉ＝１、…、Ｎ）に対するタイマー（ｔｉｍｅｒｉ）が含まれ、ｔｉｍｅｒｉが期限切れ（ｅｘｐｉｒｅ）になった後、ＤＬ  ＢＷＰｉ、ＵＬ  ＢＷＰｉが非アクティブ化される。
【００７２】
１つの実施形態では、前記方法はさらに、前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するステップを含む。
【００７３】
例えば、ＤＬ＿ＢＷＰ１、…、ＤＬ＿ＢＷＰＮとＢＷＰ、ＵＬ＿ＢＷＰ１、…、ＵＬ＿ＢＷＰＮが非アクティブ化された後、ダウンリンクアクティブ化ＢＷＰとアップリンクアクティブ化ＢＷＰはデフォルトのＢＷＰに変更される。
【００７４】
形態２において、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰセットにおける各ダウンリンクＢＷＰと前記第２のアップリンクＢＷＰセットにおける各アップリンクＢＷＰをアクティブ化する。
【００７５】
例えば、第１の構成情報にダウンリンクの第２のＤＬ  ＢＷＰセットとアップリンクの第２のＵＬ  ＢＷＰセットに対する構成情報が含まれ、第２のＤＬ  ＢＷＰセットにＤＬ＿ＢＷＰ１、…、ＤＬ＿ＢＷＰＮ（Ｎ≧２）が含まれ、第２のＵＬ  ＢＷＰセットにＵＬ＿ＢＷＰ１、…、ＵＬ＿ＢＷＰＮ（Ｎ≧２）が含まれる。第２のＤＬ  ＢＷＰセットにおけるＤＬ＿ＢＷＰ１、…、ＤＬ＿ＢＷＰＮ（Ｎ≧２）と第２のＵＬ  ＢＷＰセットにおけるＵＬ＿ＢＷＰ１、…、ＵＬ＿ＢＷＰＮ（Ｎ≧２）が所定の規則を満たす場合、端末は、ＤＬ＿ＢＷＰ１及び／又はＵＬ＿ＢＷＰ１の指示情報が含まれる第１の制御情報を受信した後、ＤＬ＿ＢＷＰ１、…、ＤＬ＿ＢＷＰＮとＵＬ＿ＢＷＰ１、…、ＵＬ＿ＢＷＰＮをアクティブ化し、前記ＤＬ＿ＢＷＰ１、…、ＤＬ＿ＢＷＰＮがダウンリンクアクティブ化ＢＷＰとなり、前記ＵＬ＿ＢＷＰ１、…、ＵＬ＿ＢＷＰＮがアップリンクアクティブ化ＢＷＰとなる。
【００７６】
１つの実施形態では、前記方法はさらに、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰと前記第２のアップリンクＢＷＰをアクティブ化するステップを含む。
【００７７】
例えば、構成された第２のダウンリンクＢＷＰセットと第２のアップリンクＢＷＰセットでは、所定の規則を満たすようなＤＬ＿ＢＷＰ１、…、ＤＬ＿ＢＷＰＮ（Ｎ≧２）が存在しないか又は所定の規則を満たすＵＬ＿ＢＷＰ１、…、ＵＬ＿ＢＷＰＮ（Ｎ≧２）が存在しない場合、端末は、ＤＬ＿ＢＷＰ１又はＵＬ＿ＢＷＰ１の指示情報が含まれる第１の制御情報を受信した後、前記ＤＬ＿ＢＷＰ１がダウンリンクアクティブ化ＢＷＰとなり、前記ＵＬ＿ＢＷＰ１がアップリンクアクティブ化ＢＷＰとなる。
【００７８】
本発明の実施例において、前記第２のダウンリンクＢＷＰセットにおける各ダウンリンクＢＷＰと第２のアップリンクＢＷＰセットにおける各アップリンクＢＷＰが所定の規則を満たすことは、以下の少なくとも１つを含む。
【００７９】
１）前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、
例えば、ＤＬ＿ＢＷＰ１、…、ＤＬ＿ＢＷＰＮの周波数ドメイン位置と帯域幅の大きさが一致し且つＵＬ＿ＢＷＰ１、…、ＵＬ＿ＢＷＰＮの周波数ドメイン位置と帯域幅の大きさが一致する。
【００８０】
２）前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、
例えば、ＤＬ＿ＢＷＰ２、…、ＤＬ＿ＢＷＰＮの周波数ドメイン範囲がＤＬ＿ＢＷＰ１の周波数ドメイン範囲内にあり且つＵＬ＿ＢＷＰ２、…、ＵＬ＿ＢＷＰＮの周波数ドメイン範囲がＵＬ＿ＢＷＰ１の周波数ドメイン範囲内にある。
【００８１】
３）前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできること。
【００８２】
例えば、前記端末の無線周波数帯域幅機能がＤＬ＿ＢＷＰ１、…、ＤＬ＿ＢＷＰＮの周波数ドメイン範囲とＵＬ＿ＢＷＰ１、…、ＵＬ＿ＢＷＰＮの周波数ドメイン範囲を同時にカバーできる。
【００８３】
１つの実施形態では、前記方法は、さらに、前記端末は前記ネットワーク機器によって送信された第４の構成情報を受信するステップであって、前記第４の構成情報が前記第２のダウンリンクＢＷＰと前記第２のアップリンクＢＷＰに対応する第３の持続時間情報を含むステップと、前記第２のダウンリンクＢＷＰと前記第２のアップリンクＢＷＰがアクティブ化された持続時間が前記第３の持続時間に達する場合、前記第２のダウンリンクＢＷＰセットにおける各ダウンリンクＢＷＰと前記第２のアップリンクＢＷＰセットにおける各アップリンクＢＷＰを非アクティブ化するステップと、を含む。
【００８４】
例えば、前記ＤＬ＿ＢＷＰ１とＵＬ＿ＢＷＰ１に対するタイマー（ｔｉｍｅｒ１）が期限切れ（ｅｘｐｉｒｅ）になった後、前記ＤＬ＿ＢＷＰ１、…、ＤＬ＿ＢＷＰＮとＵＬ＿ＢＷＰ１、…、ＵＬ＿ＢＷＰＮが非アクティブ化される。
【００８５】
１つの実施形態では、前記方法は、さらに、前記端末は前記ネットワーク機器によって送信された第５の構成情報を受信するステップであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含むステップと、前記第３のダウンリンクＢＷＰと前記第３のアップリンクＢＷＰがアクティブ化された持続時間が前記第４の持続時間に達する場合、前記第３のダウンリンクＢＷＰと前記第３のアップリンクＢＷＰを非アクティブ化するステップであって、前記第３のダウンリンクＢＷＰが前記第２のダウンリンクＢＷＰとは異なり、前記第３のアップリンクＢＷＰが前記第２のアップリンクＢＷＰとは異なるステップと、を含む。
【００８６】
例えば、ＤＬ  ＢＷＰｉ、ＵＬ  ＢＷＰｉ（ｉ＝２、…、Ｎ）に対するタイマー（ｔｉｍｅｒｉ）が期限切れ（ｅｘｐｉｒｅ）になった後、ＤＬ  ＢＷＰｉ、ＵＬ  ＢＷＰｉが非アクティブ化される。
【００８７】
本発明の実施例において、前記方法はさらに、前記第２のダウンリンクＢＷＰセットにおける各ダウンリンクＢＷＰと前記第２のアップリンクＢＷＰセットにおける各アップリンクＢＷＰがいずれも非アクティブ化された場合、デフォルトのＢＷＰをアクティブ化するステップを含む。
【００８８】
例えば、ＤＬ＿ＢＷＰ１、…、ＤＬ＿ＢＷＰＮとＵＬ＿ＢＷＰ１、…、ＵＬ＿ＢＷＰＮがいずれも非アクティブ化された後、ダウンリンクアクティブ化ＢＷＰとアップリンクアクティブ化ＢＷＰはデフォルトのＢＷＰに変更される。
【００８９】
図３は、本発明の実施例に係るリソース構成方法のフローチャート２であり、図３に示すように、前記リソース構成方法は以下のステップを含む。
【００９０】
ステップ３０１において、ネットワーク機器は端末に第１の制御情報を送信し、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、これにより前記端末は前記第１の制御情報に基づき、少なくとも２つのダウンリンクＢＷＰと少なくとも２つのアップリンクＢＷＰをアクティブ化する。
【００９１】
１つの実施形態では、前記方法はさらに、前記ネットワーク機器は前記端末に第１の構成情報を送信するステップであって、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含むステップを含む。
【００９２】
本発明の実施例において、前記第１の指示情報がアクティブ化しようとする少なくとも２つのダウンリンクＢＷＰと少なくとも２つのアップリンクＢＷＰを決定するためのものであるステップは、以下の形態によって実現され得る。
【００９３】
形態１において、前記第１の指示情報が第１のダウンリンクＢＷＰセット又は第１のアップリンクＢＷＰセットの指示情報である場合、前記第１の指示情報は前記端末に前記第１のダウンリンクＢＷＰセットにおける各ダウンリンクＢＷＰと前記第１のアップリンクＢＷＰセットにおける各アップリンクＢＷＰをアクティブ化させるためのものである。
【００９４】
１つの実施形態では、前記方法はさらに、前記ネットワーク機器は前記端末に第２の構成情報を送信するステップであって、前記第２の構成情報が前記第１のダウンリンクＢＷＰセット及び／又は前記第１のアップリンクＢＷＰセットに対応する第１の持続時間情報を含むステップを含み、前記第１の持続時間情報が、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記端末に前記第１のダウンリンクＢＷＰセットにおける各ダウンリンクＢＷＰと前記第１のアップリンクＢＷＰセットにおける各アップリンクＢＷＰを非アクティブ化させるためのものである。
【００９５】
１つの実施形態では、前記方法はさらに、前記ネットワーク機器は前記端末に第３の構成情報を送信するステップであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むステップを含み、前記第２の持続時間情報が、前記第１のダウンリンクＢＷＰと前記第１のアップリンクＢＷＰがアクティブ化された持続時間が前記第２の持続時間に達する場合、前記端末に前記第１のダウンリンクＢＷＰと前記第１のアップリンクＢＷＰを非アクティブ化させるためのものである。
【００９６】
形態２において、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰセットにおける各ダウンリンクＢＷＰと前記第２のアップリンクＢＷＰセットにおける各アップリンクＢＷＰをアクティブ化させるためのものである。
【００９７】
１つの実施形態では、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰと前記第２のアップリンクＢＷＰをアクティブ化させるためのものである。
【００９８】
１つの実施形態では、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【００９９】
１つの実施形態では、前記方法はさらに、前記ネットワーク機器は前記端末に第４の構成情報を送信するステップであって、前記第４の構成情報が前記第２のダウンリンクＢＷＰと前記第２のアップリンクＢＷＰに対応する第３の持続時間情報を含むステップを含み、前記第３の持続時間情報が、前記第２のダウンリンクＢＷＰと前記第２のアップリンクＢＷＰがアクティブ化された持続時間が前記第３の持続時間に達する場合、前記端末に前記第２のダウンリンクＢＷＰセットにおける各ダウンリンクＢＷＰと前記第２のアップリンクＢＷＰセットにおける各アップリンクＢＷＰを非アクティブ化させるためのものである。
【０１００】
１つの実施形態では、前記方法はさらに、前記ネットワーク機器は前記端末に第５の構成情報を送信するステップであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含むステップを含み、前記第４の持続時間情報が、前記第３のダウンリンクＢＷＰと前記第３のアップリンクＢＷＰがアクティブ化された持続時間が前記第４の持続時間に達する場合、前記端末に前記第３のダウンリンクＢＷＰと前記第３のアップリンクＢＷＰを非アクティブ化させるためのものであり、前記第３のダウンリンクＢＷＰが前記第２のダウンリンクＢＷＰとは異なり、前記第３のアップリンクＢＷＰが前記第２のアップリンクＢＷＰとは異なる。
【０１０１】
以下は具体的な応用例を合わせて本発明の実施例の技術的解決手段についてさらに説明する。
【０１０２】
例１において、ＢＷＰペアセットの構成やアクティブ化
表１、表２に示すように、第１の構成情報が４つのダウンリンクＢＷＰと４つのアップリンクＢＷＰを構成し、２つのＢＷＰペアセットにどちらのＢＷＰペアが含まれるかを構成し、ＢＷＰペアセット１にＤＬ  ＢＷＰ１、ＵＬ  ＢＷＰ１とＤＬ  ＢＷＰ２、ＵＬ  ＢＷＰ２が含まれ、ＢＷＰペアセット２にＤＬ  ＢＷＰ３、ＵＬ  ＢＷＰ３とＤＬ  ＢＷＰ４、ＵＬ  ＢＷＰ４が含まれる。第１の制御情報においてＢＷＰペアセット１のＩＤが含まれる場合、ＤＬ  ＢＷＰ１、ＵＬ  ＢＷＰ１とＤＬ  ＢＷＰ２、ＵＬ  ＢＷＰ２が同時にアクティブ化され、第１の制御情報においてＢＷＰペアセット２のＩＤが含まれる場合、Ｌ  ＢＷＰ３、ＵＬ  ＢＷＰ３とＤＬ  ＢＷＰ４、ＵＬ  ＢＷＰ４が同時にアクティブ化される。
【０１０３】
【表１】
2021516893.tif 000003
【０１０４】
【表２】
2021516893.tif 000004
【０１０５】
同じ効果を取得するもう１つの方法は表３に示され、即ち、２つのダウンリンクＢＷＰセットを構成し、それぞれのＢＷＰセットに含まれるＢＷＰを構成する。
【０１０６】
【表３】
2021516893.tif 000005
【０１０７】
例２、ＢＷＰセットにおけるＢＷＰの同時非アクティブ化
図４に示すように、ＢＷＰペアセット１に属するＤＬ  ＢＷＰ１、ＵＬ  ＢＷＰ１とＤＬ  ＢＷＰ２、ＵＬ  ＢＷＰ２がアクティブ化された状態であり、ＢＷＰペアセット１に対するｔｉｍｅｒが期限切れになった場合、ＤＬ  ＢＷＰ１、ＵＬ  ＢＷＰ１とＤＬ  ＢＷＰ２、ＵＬ  ＢＷＰ２が同時に非アクティブ化される。
【０１０８】
例３、ＢＷＰペアセットにおけるＢＷＰそれぞれの非アクティブ化
図５に示すように、ＢＷＰペアセット１に属するＤＬ  ＢＷＰ１、ＵＬ  ＢＷＰ１とＤＬ  ＢＷＰ２、ＵＬ  ＢＷＰ２がアクティブ化された状態であり、ＤＬ  ＢＷＰ２、ＵＬ  ＢＷＰ２に対するｔｉｍｅｒ２が期限切れになった場合、ＤＬ  ＢＷＰ  ２、ＵＬ  ＢＷＰ２が非アクティブ化され、ＤＬ  ＢＷＰ１、ＵＬ  ＢＷＰ１に対するｔｉｍｅｒ１が期限切れになった場合、ＤＬ  ＢＷＰ１、ＵＬ  ＢＷＰ１も非アクティブ化される。
【０１０９】
例４、ＢＷＰペアセットの構成やアクティブ化
表４、図６に示すように第１の所定の規則について、１つのＢＷＰペアセットでは、各ＤＬ  ＢＷＰの周波数ドメイン位置と帯域幅の大きさが同じであり、各ＵＬ  ＢＷＰの周波数ドメイン位置と帯域幅の大きさが同じである。第１の構成情報が４つのＤＬ  ＢＷＰと４つのＵＬ  ＢＷＰを構成し、ＤＬ  ＢＷＰ１とＤＬ  ＢＷＰ  ２の周波数ドメイン位置と帯域幅の大きさが同じであり、ＵＬ  ＢＷＰ１とＵＬ  ＢＷＰ  ２の周波数ドメイン位置と帯域幅の大きさが同じであり、１つのＢＷＰペアセットが形成される。ＤＬ  ＢＷＰ３とＤＬ  ＢＷＰ  ４の周波数ドメイン位置と帯域幅の大きさが同じであり、ＵＬ  ＢＷＰ３とＵＬ  ＢＷＰ  ４の周波数ドメイン位置と帯域幅の大きさが同じであり、もう１つのＢＷＰペアセットが形成される。第１の制御情報にはＤＬ  ＢＷＰ１又はＤＬ  ＢＷＰ  ２又はＵＬ  ＢＷＰ１又はＵＬ  ＢＷＰ  ２のＩＤが含まれた場合、ＤＬ  ＢＷＰ１、ＵＬ  ＢＷＰ１とＤＬ  ＢＷＰ  ２、ＵＬ  ＢＷＰ２が同時にアクティブ化され、第１の制御情報にはＤＬ  ＢＷＰ３又はＤＬ  ＢＷＰ  ４又はＵＬ  ＢＷＰ３又はＵＬ  ＢＷＰ  ４のＩＤが含まれた場合、ＤＬ  ＢＷＰ３、ＵＬ  ＢＷＰ３とＤＬ  ＢＷＰ４、ＵＬ  ＢＷＰ４が同時にアクティブ化される。
【０１１０】
【表４】
2021516893.tif 000006
【０１１１】
表５、図７に示すように第２の所定の規則について、１つのＢＷＰセットではＢＷＰ２、…、ＢＷＰＮの周波数ドメイン範囲がＢＷＰ１の周波数ドメイン範囲内にある。第１の構成情報が４つのダウンリンクＢＷＰを構成し、ＤＬ  ＢＷＰ  ２の周波数ドメイン範囲がＤＬ  ＢＷＰ１の周波数ドメイン範囲内にあり、ＤＬ  ＢＷＰ１とＤＬ  ＢＷＰ  ２が１つのＤＬ  ＢＷＰセットを形成し、ＤＬ  ＢＷＰ  ４の周波数ドメイン範囲がＤＬ  ＢＷＰ３の周波数ドメイン範囲内にあり、ＤＬ  ＢＷＰ３とＤＬ  ＢＷＰ  ４がもう１つのＤＬ  ＢＷＰセットを形成する。第１の制御情報にはＤＬ  ＢＷＰ１又はＤＬ  ＢＷＰ  ２のＩＤが含まれた場合、ＤＬ  ＢＷＰ１とＤＬ  ＢＷＰ  ２が同時にアクティブ化され、第１の制御情報にはＤＬ  ＢＷＰ３又はＤＬ  ＢＷＰ  ４のＩＤが含まれた場合、ＤＬ  ＢＷＰ３とＤＬ  ＢＷＰ  ４が同時にアクティブ化される。
【０１１２】
【表５】
2021516893.tif 000007
【０１１３】
例５、ＢＷＰペアセットにおけるＢＷＰの同時非アクティブ化
図８、図９に示すように、ＤＬ  ＢＷＰ１、ＵＬ  ＢＷＰ１とＤＬ  ＢＷＰ２、ＵＬ  ＢＷＰ２が共にアクティブ化された状態であり、且つＤＬ  ＢＷＰ１とＤＬ  ＢＷＰ２の周波数ドメイン位置と帯域幅の大きさが同じであり且つＵＬ  ＢＷＰ１とＵＬ  ＢＷＰ２の周波数ドメイン位置と帯域幅の大きさが同じであるか、又はＤＬ  ＢＷＰ２の周波数ドメイン範囲がＤＬ  ＢＷＰ１の周波数ドメイン範囲内にあり且つＵＬ  ＢＷＰ２の周波数ドメイン範囲がＵＬ  ＢＷＰ１の周波数ドメイン範囲内にある場合、ＤＬ  ＢＷＰ１、ＵＬ  ＢＷＰ１に対するｔｉｍｅｒ１が期限切れ（ｅｘｐｉｒｅ）になった後、ＤＬ  ＢＷＰ１、ＵＬ  ＢＷＰ１とＤＬ  ＢＷＰ２、ＵＬ  ＢＷＰ２が同時に非アクティブ化される。
【０１１４】
例６、ＢＷＰペアセットにおけるＢＷＰそれぞれの非アクティブ化
図１０、図１１に示すように、ＤＬ  ＢＷＰ１、ＵＬ  ＢＷＰ１とＤＬ  ＢＷＰ２、ＵＬ  ＢＷＰ２が共にアクティブ化された状態であり、ＤＬ  ＢＷＰ１、ＵＬ  ＢＷＰ１に対するｔｉｍｅｒ１が期限切れ（ｅｘｐｉｒｅ）になった後、ＤＬ  ＢＷＰ１、ＵＬ  ＢＷＰ１が非アクティブ化され、ＤＬ  ＢＷＰ２、ＵＬ  ＢＷＰ２が依然としてアクティブ化された状態である。ＤＬ  ＢＷＰ２、ＵＬ  ＢＷＰ２に対するｔｉｍｅｒ２が期限切れ（ｅｘｐｉｒｅ）になった後、ＤＬ  ＢＷＰ２、ＵＬ  ＢＷＰ２が非アクティブ化され、ＤＬ  ＢＷＰ１、ＵＬ  ＢＷＰ１が依然としてアクティブ化された状態である。
【０１１５】
図１２は、本発明の実施例に係るリソース構成装置の構造構成概略図１であり、図１２に示すように、前記リソース構成装置は、
ネットワーク機器によって送信された第１の制御情報を受信するための第１の受信ユニット１２０１であって、前記第１の制御情報が第１の指示情報を含み、前記第１の指示情報がアクティブ化しようとする少なくとも２つのダウンリンク帯域幅部分ＢＷＰと少なくとも２つのアップリンクＢＷＰを決定するためのものである第１の受信ユニット１２０１と、
前記第１の制御情報に基づき、少なくとも２つのダウンリンクＢＷＰと少なくとも２つのアップリンクＢＷＰをアクティブ化するためのアクティブ化ユニット１２０２と、を含む。
【０１１６】
１つの実施形態では、前記装置はさらに、
前記ネットワーク機器によって送信された第１の構成情報を受信するための第２の受信ユニット１２０３であって、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含む第２の受信ユニット１２０３を含む。
【０１１７】
１つの実施形態では、前記アクティブ化ユニット１２０２は、前記第１の指示情報が第１のダウンリンクＢＷＰセット又は第１のアップリンクＢＷＰセットの指示情報である場合、前記第１のダウンリンクＢＷＰセットにおける各ダウンリンクＢＷＰと前記第１のアップリンクＢＷＰセットにおける各アップリンクＢＷＰをアクティブ化するためのものである。
【０１１８】
１つの実施形態では、前記装置はさらに、
前記ネットワーク機器によって送信された第２の構成情報を受信するための第３の受信ユニット１２０４であって、前記第２の構成情報が前記第１のダウンリンクＢＷＰセット及び／又は前記第１のアップリンクＢＷＰセットに対応する第１の持続時間情報を含む第３の受信ユニット１２０４と、
前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するための非アクティブ化ユニット１２０５と、を含む。
【０１１９】
１つの実施形態では、前記装置はさらに、
前記ネットワーク機器によって送信された第３の構成情報を受信するための第４の受信ユニット１２０６であって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含む第４の受信ユニット１２０６と、
前記第１のダウンリンクＢＷＰと前記第１のアップリンクＢＷＰがアクティブ化された持続時間が前記第２の持続時間に達する場合、前記第１のダウンリンクＢＷＰと前記第１のアップリンクＢＷＰを非アクティブ化するための非アクティブ化ユニット１２０５と、を含む。
【０１２０】
１つの実施形態では、前記アクティブ化ユニット１２０２はさらに、前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するためのものである。
【０１２１】
１つの実施形態では、前記アクティブ化ユニット１２０２は、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰセットにおける各ダウンリンクＢＷＰと前記第２のアップリンクＢＷＰセットにおける各アップリンクＢＷＰをアクティブ化するためのものである。
【０１２２】
１つの実施形態では、前記アクティブ化ユニット１２０２は、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰと前記第２のアップリンクＢＷＰをアクティブ化するためのものである。
【０１２３】
１つの実施形態では、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【０１２４】
１つの実施形態では、前記装置はさらに、
前記ネットワーク機器によって送信された第４の構成情報を受信するための第５の受信ユニット１２０７であって、前記第４の構成情報が前記第２のダウンリンクＢＷＰと前記第２のアップリンクＢＷＰに対応する第３の持続時間情報を含む第５の受信ユニット１２０７と、
前記第２のダウンリンクＢＷＰと前記第２のアップリンクＢＷＰがアクティブ化された持続時間が前記第３の持続時間に達する場合、前記第２のダウンリンクＢＷＰセットにおける各ダウンリンクＢＷＰと前記第２のアップリンクＢＷＰセットにおける各アップリンクＢＷＰを非アクティブ化するための非アクティブ化ユニット１２０５と、を含む。
【０１２５】
１つの実施形態では、前記装置はさらに、
前記ネットワーク機器によって送信された第５の構成情報を受信するための第６の受信ユニット１２０８であって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含む第６の受信ユニット１２０８と、
前記第３のダウンリンクＢＷＰと前記第３のアップリンクＢＷＰがアクティブ化された持続時間が前記第４の持続時間に達する場合、前記第３のダウンリンクＢＷＰと前記第３のアップリンクＢＷＰを非アクティブ化するための非アクティブ化ユニット１２０５であって、前記第３のダウンリンクＢＷＰが前記第２のダウンリンクＢＷＰとは異なり、前記第３のアップリンクＢＷＰが前記第２のアップリンクＢＷＰとは異なる非アクティブ化ユニット１２０５と、を含む。
【０１２６】
１つの実施形態では、前記アクティブ化ユニット１２０２はさらに、前記第２のダウンリンクＢＷＰセットにおける各ダウンリンクＢＷＰと前記第２のアップリンクＢＷＰセットにおける各アップリンクＢＷＰがいずれも非アクティブ化された場合、デフォルトのＢＷＰをアクティブ化するためのものである。
【０１２７】
当業者は、図１２に示すようなリソース構成装置における各ユニットの実現機能が前述したリソース構成方法の関連説明を参照して理解できることを理解すべきである。図１２に示すようなリソース構成装置における各ユニットの機能がプロセッサで実行されているプログラムによって実現されてもよく、具体的なロジック回路によって実現されてもよい。
【０１２８】
図１３は、本発明の実施例に係るリソース構成装置の構造構成概略図２であり、図１３に示すように、前記リソース構成装置は、
端末に第１の制御情報を送信するための第１の送信ユニット１３０１であって、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、これにより前記端末は前記第１の制御情報に基づき、少なくとも２つのダウンリンクＢＷＰと少なくとも２つのアップリンクＢＷＰをアクティブ化する第１の送信ユニット１３０１を含む。
【０１２９】
１つの実施形態では、前記装置はさらに、
前記端末に第１の構成情報を送信するための第２の送信ユニット１３０２であって、前記第１の構成情報が少なくとも１つのダウンリンクＢＷＰセットと少なくとも１つのアップリンクＢＷＰセットの構成情報を含み、前記ダウンリンクＢＷＰセットが複数のダウンリンクＢＷＰを含み、前記アップリンクＢＷＰセットが複数のアップリンクＢＷＰを含む第２の送信ユニット１３０２を含む。
【０１３０】
１つの実施形態では、前記第１の指示情報が第１のダウンリンクＢＷＰセット又は第１のアップリンクＢＷＰセットの指示情報である場合、前記第１の指示情報は前記端末に前記第１のダウンリンクＢＷＰセットにおける各ダウンリンクＢＷＰと前記第１のアップリンクＢＷＰセットにおける各アップリンクＢＷＰをアクティブ化させるためのものである。
【０１３１】
１つの実施形態では、前記装置はさらに、
前記端末に第２の構成情報を送信するための第３の送信ユニット１３０３であって、前記第２の構成情報が前記第１のダウンリンクＢＷＰセット及び／又は前記第１のアップリンクＢＷＰセットに対応する第１の持続時間情報を含む第３の送信ユニット１３０３を含み、
前記第１の持続時間情報が、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間に達する場合、前記端末に前記第１のダウンリンクＢＷＰセットにおける各ダウンリンクＢＷＰと前記第１のアップリンクＢＷＰセットにおける各アップリンクＢＷＰを非アクティブ化させるためのものである。
【０１３２】
１つの実施形態では、前記装置はさらに、
前記端末に第３の構成情報を送信するための第４の送信ユニット１３０４であって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含む第４の送信ユニット１３０４を含み、
前記第２の持続時間情報が、前記第１のダウンリンクＢＷＰと前記第１のアップリンクＢＷＰがアクティブ化された持続時間が前記第２の持続時間に達する場合、前記端末に前記第１のダウンリンクＢＷＰと前記第１のアップリンクＢＷＰを非アクティブ化させるためのものである。
【０１３３】
１つの実施形態では、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰセットにおける各ダウンリンクＢＷＰと前記第２のアップリンクＢＷＰセットにおける各アップリンクＢＷＰをアクティブ化させるためのものである。
【０１３４】
１つの実施形態では、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰと前記第２のアップリンクＢＷＰをアクティブ化させるためのものである。
【０１３５】
１つの実施形態では、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【０１３６】
１つの実施形態では、前記装置はさらに、
前記端末に第４の構成情報を送信するための第５の送信ユニット１３０５を含み、前記第４の構成情報が前記第２のダウンリンクＢＷＰと前記第２のアップリンクＢＷＰに対応する第３の持続時間情報を含む第５の送信ユニット１３０５を含み、
前記第３の持続時間情報が、前記第２のダウンリンクＢＷＰと前記第２のアップリンクＢＷＰがアクティブ化された持続時間が前記第３の持続時間に達する場合、前記端末に前記第２のダウンリンクＢＷＰセットにおける各ダウンリンクＢＷＰと前記第２のアップリンクＢＷＰセットにおける各アップリンクＢＷＰを非アクティブ化させるためのものである。
【０１３７】
１つの実施形態では、前記装置はさらに、
前記端末に第５の構成情報を送信するための第６の送信ユニット１３０６であって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含む第６の送信ユニット１３０６を含み、
前記第４の持続時間情報が、前記第３のダウンリンクＢＷＰと前記第３のアップリンクＢＷＰがアクティブ化された持続時間が前記第４の持続時間に達する場合、前記端末に前記第３のダウンリンクＢＷＰと前記第３のアップリンクＢＷＰを非アクティブ化させるためのものであり、前記第３のダウンリンクＢＷＰが前記第２のダウンリンクＢＷＰとは異なり、前記第３のアップリンクＢＷＰが前記第２のアップリンクＢＷＰとは異なる。
【０１３８】
当業者は、図１３に示すようなリソース構成装置における各ユニットの実現機能が前述したリソース構成方法の関連説明を参照して理解できることを理解すべきである。図１３に示すようなリソース構成装置における各ユニットの機能がプロセッサで実行されているプログラムによって実現されてもよく、具体的なロジック回路によって実現されてもよい。
【０１３９】
本発明の実施例による上記リソース構成装置は、ソフトウェア機能モジュールの形で実施され、独立した製品として販売または使用される場合、１つのコンピュータ可読記憶媒体に記憶されてもよい。このような理解に基づき、本発明の実施例の技術的解決手段は、本質的にソフトウェア製品の形で具現化されてもよいか、又は従来の技術に寄与する部分がソフトウェア製品の形で具現化されてもよい。該コンピューターソフトウェア製品は、１つの記憶媒体に記憶され、コンピュータ機器（パーソナルコンピュータ、サーバ、又はネットワーク機器などであってもよい）に、本発明の各実施例の前記方法のすべて又は一部を実行させるためのいくつかの命令を含む。前述した記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスク、又はコンパクトディスクなどプログラムコードを記憶できる様々な媒体を含む。このように、本発明の実施例は特定したハードウェアとソフトウェアの任意の組み合わせに限定されない。
【０１４０】
対応的に、本発明の実施例はさらに、コンピュータ記憶媒体を提供し、前記コンピュータ記憶媒体にコンピュータ実行可能な命令が記憶され、該コンピュータ実行可能な命令がプロセッサによって実行される時、本発明の実施例に係る上記リソース構成方法を実現する。
【０１４１】
図１４は、本発明の実施例に係るコンピュータ機器の構造構成概略図であり、該コンピュータ機器は、端末であってもよく、ネットワーク機器であってもよい。図１４に示すように、コンピュータ機器１００は、１つ又は複数（１つのみが図示されている）のプロセッサ１００２（プロセッサ１００２は、マイクロプロセッサ（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含んでもよいが、それらに限定されない）、データを記憶するためのメモリ１００４、及び通信機能用の伝送装置１００６を含んでもよい。当業者は、図１４に示すような構造が例示的なものにすぎず、上記電子装置の構造を限定するようなものではないと理解できる。例えば、コンピュータ機器１００はさらに、図１４に示したコンポーネントより数多く又は数少ないコンポーネントを含んでもよく、または、図１４に示した構成と異なる構成を持ってもよい。
【０１４２】
メモリ１００４は、本発明の実施例における方法に対応するプログラム命令／モジュールなどのアプリケーションプログラムのソフトウェアプログラム及びモジュールを記憶するために使用され得る。プロセッサ１００２は、メモリ１００４に記憶されたソフトウェアプログラム及びモジュールを実行することにより、様々な機能アプリケーション及びデータ処理を実行し、即ち、上記方法を実現する。メモリ１００４は、高速ランダムアクセスメモリを含んでもよく、また、例えば、１つ又は複数の磁気記憶装置、フラッシュメモリ、又は他の不揮発性ソリッドステートメモリなどの不揮発性メモリを含んでもよい。いくつかの実例では、メモリ１００４は、プロセッサ１００２に対してリモートで設置されたメモリをさらに含んでもよく、これらのリモートメモリは、ネットワークを介してコンピュータ機器１００に接続することができる。上記ネットワークの実例は、インターネット、イントラネット、ローカルエリアネットワーク、モバイル通信ネットワーク、及びそれらの組み合わせを含むが、それらに限定されない。
【０１４３】
伝送装置１００６は、１つのネットワークを介してデータを受信又は送信するためのものである。上記のネットワークの具体的な実例は、コンピュータ機器１００の通信事業者が提供する無線ネットワークを含んでもよい。１つの実例では、伝送装置１００６は、基地局を介して他のネットワークデバイスに接続することによってインターネットと通信することができる１つのネットワークインタフェースコントローラ（ＮＩＣ、Ｎｅｔｗｏｒｋ  Ｉｎｔｅｒｆａｃｅ  Ｃｏｎｔｒｏｌｌｅｒ）を含む。１つの実例では、伝送装置１００６は、無線の方式でインターネットと通信するための無線周波数（ＲＦ、Ｒａｄｉｏ  Ｆｒｅｑｕｅｎｃｙ）モジュールであってもよい。
【０１４４】
本発明の実施例に記載の技術的解決手段は、競合することなく任意に組み合わせることができる。
【０１４５】
本発明に係るいくつかの実施例では、開示された方法及びスマート機器は、他の方式で実現することができると理解すべきである。以上に説明された機器の実施例は例示的なものにすぎず、例えば、前記ユニットの分割は、論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、表示又は検討した各構成部分の互いの結合又は直接的な結合又は通信接続は、いくつかのインタフェース、機器又はユニットを用いる間接的接続又は通信接続であってもよく、電気的形態、機械的形態又はその他の形態であってもよい。
【０１４６】
上記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。実際の必要に応じて、一部のユニットだけを用いるか、又はすべてのユニットを使用して本実施例に係る解決手段の目的を達成することができる。
【０１４７】
また、本発明の各実施例では、各機能ユニットが１つの第２の処理ユニットに集積されてもよいが、各ユニットがそれぞれ単独で１つのユニットとして存在するか、又は２つかまたは２つ以上のユニットが１つのユニットに集積されてもよい。上記集積されたユニットはハードウェアの形で実現されてもよく、ハードウェアとソフトウェア機能ユニットの形で実現されてもよい。
【０１４８】
以上の内容は、本発明の具体的実施形態にすぎず、本発明の保護範囲はこれらに限定されず、当業者であれば、本発明で開示される技術的範囲内に、容易に想像しうる全ての変更又は置換は、いずれも本発明の保護範囲内に含まれるべきである。
【図１】
2021516893.tif 000008
【図２】
2021516893.tif 000009
【図３】
2021516893.tif 000010
【図４】
2021516893.tif 000011
【図５】
2021516893.tif 000012
【図６】
2021516893.tif 000013
【図７】
2021516893.tif 000014
【図８】
2021516893.tif 000015
【図９】
2021516893.tif 000016
【図１０】
2021516893.tif 000017
【図１１】
2021516893.tif 000018
【図１２】
2021516893.tif 000019
【図１３】
2021516893.tif 000020
【図１４】
2021516893.tif 000021
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
リソース構成方法であって、前記方法は、
端末はネットワーク機器によって送信された第１の制御情報を受信するステップであって、前記第１の制御情報が第１の指示情報を含み、前記第１の指示情報がアクティブ化しようとする少なくとも２つのダウンリンク帯域幅部分ＢＷＰと少なくとも２つのアップリンクＢＷＰを決定するためのものであるステップと、
前記端末は前記第１の制御情報に基づき、少なくとも２つのダウンリンクＢＷＰと少なくとも２つのアップリンクＢＷＰをアクティブ化するステップと、を含むリソース構成方法。
【請求項２】
前記方法はさらに、
前記端末は前記ネットワーク機器によって送信された第１の構成情報を受信するステップであって、前記第１の構成情報が少なくとも１つのダウンリンクＢＷＰセットと少なくとも１つのアップリンクＢＷＰセットの構成情報を含み、前記少なくとも１つのダウンリンクＢＷＰセットにおける各ダウンリンクＢＷＰセットが複数のダウンリンクＢＷＰを含み、前記少なくとも１つのアップリンクＢＷＰセットにおける各アップリンクＢＷＰセットが複数のアップリンクＢＷＰを含むステップを含む請求項１に記載の方法。
【請求項３】
前記端末は前記第１の制御情報に基づき、少なくとも２つのダウンリンクＢＷＰと少なくとも２つのアップリンクＢＷＰをアクティブ化するステップは、
前記第１の指示情報が第１のダウンリンクＢＷＰセット又は第１のアップリンクＢＷＰセットの指示情報である場合、前記端末は前記第１のダウンリンクＢＷＰセットにおける各ダウンリンクＢＷＰと前記第１のアップリンクＢＷＰセットにおける各アップリンクＢＷＰをアクティブ化するステップを含む請求項２に記載の方法。
【請求項４】
前記方法はさらに、
前記端末は前記ネットワーク機器によって送信された第２の構成情報を受信するステップであって、前記第２の構成情報が前記第１のダウンリンクＢＷＰセット及び前記第１のアップリンクＢＷＰセットの少なくとも１つに対応する第１の持続時間情報を含むステップ、
前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間情報で指示された第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するステップ、又は
前記端末は前記ネットワーク機器によって送信された第３の構成情報を受信するステップであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むステップ、
前記第１のダウンリンクＢＷＰと前記第１のアップリンクＢＷＰがアクティブ化された持続時間が前記第２の持続時間情報で指示された第２の持続時間に達する場合、前記第１のダウンリンクＢＷＰと前記第１のアップリンクＢＷＰを非アクティブ化するステップを含み、
前記方法はさらに、
前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するステップを含む請求項３に記載の方法。
【請求項５】
前記端末は前記第１の制御情報に基づき、少なくとも２つのダウンリンクＢＷＰと少なくとも２つのアップリンクＢＷＰをアクティブ化するステップは、
前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰセットにおける各ダウンリンクＢＷＰと前記第２のアップリンクＢＷＰセットにおける各アップリンクＢＷＰをアクティブ化するステップを含み、
前記方法はさらに、
前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰと前記第２のアップリンクＢＷＰをアクティブ化するステップを含む請求項２に記載の方法。
【請求項６】
リソース構成装置であって、前記装置は、
ネットワーク機器によって送信された第１の制御情報を受信するための第１の受信ユニットであって、前記第１の制御情報が第１の指示情報を含み、前記第１の指示情報がアクティブ化しようとする少なくとも２つのダウンリンク帯域幅部分ＢＷＰと少なくとも２つのアップリンクＢＷＰを決定するためのものである第１の受信ユニットと、
前記第１の制御情報に基づき、少なくとも２つのダウンリンクＢＷＰと少なくとも２つのアップリンクＢＷＰをアクティブ化するためのアクティブ化ユニットと、を含むリソース構成装置。
【請求項７】
前記装置はさらに、
前記ネットワーク機器によって送信された第１の構成情報を受信するための第２の受信ユニットであって、前記第１の構成情報が少なくとも１つのダウンリンクＢＷＰセットと少なくとも１つのアップリンクＢＷＰセットの構成情報を含み、前記少なくとも１つのダウンリンクＢＷＰセットにおける各ダウンリンクＢＷＰセットが複数のダウンリンクＢＷＰを含み、前記少なくとも１つのアップリンクＢＷＰセットにおける各アップリンクＢＷＰセットが複数のアップリンクＢＷＰを含む第２の受信ユニットを含む請求項６に記載の装置。
【請求項８】
前記アクティブ化ユニットは、前記第１の指示情報が第１のダウンリンクＢＷＰセット又は第１のアップリンクＢＷＰセットの指示情報である場合、前記第１のダウンリンクＢＷＰセットにおける各ダウンリンクＢＷＰと前記第１のアップリンクＢＷＰセットにおける各アップリンクＢＷＰをアクティブ化するためのものである請求項７に記載の装置。
【請求項９】
前記装置はさらに、
前記ネットワーク機器によって送信された第２の構成情報を受信するための第３の受信ユニットであって、前記第２の構成情報が前記第１のダウンリンクＢＷＰセット及び前記第１のアップリンクＢＷＰセットの少なくとも１つに対応する第１の持続時間情報を含む第３の受信ユニット、
前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間情報で指示された第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するための非アクティブ化ユニット、または、
前記ネットワーク機器によって送信された第３の構成情報を受信するための第４の受信ユニットであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含む第４の受信ユニット、
前記第１のダウンリンクＢＷＰと前記第１のアップリンクＢＷＰがアクティブ化された持続時間が前記第２の持続時間情報で指示された第２の持続時間に達する場合、前記第１のダウンリンクＢＷＰと前記第１のアップリンクＢＷＰを非アクティブ化するための非アクティブ化ユニットを含み、
前記アクティブ化ユニットはさらに、前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するためのものである請求項８に記載の装置。
【請求項１０】
前記アクティブ化ユニットは、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰセットにおける各ダウンリンクＢＷＰと前記第２のアップリンクＢＷＰセットにおける各アップリンクＢＷＰをアクティブ化するためのものであり、及び
前記アクティブ化ユニットは、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰと前記第２のアップリンクＢＷＰをアクティブ化するためのものである請求項７に記載の装置。
【請求項１１】
リソース構成装置であって、前記装置は、
端末に第１の制御情報を送信するための第１の送信ユニットであって、前記第１の制御情報が第１の指示情報を含み、前記第１の指示情報がアクティブ化しようとする少なくとも２つのダウンリンク帯域幅部分ＢＷＰと少なくとも２つのアップリンクＢＷＰを決定するためのものであり、これにより前記端末は前記第１の制御情報に基づき、少なくとも２つのダウンリンクＢＷＰと少なくとも２つのアップリンクＢＷＰをアクティブ化する第１の送信ユニットを含むリソース構成装置。
【請求項１２】
前記装置はさらに、
前記端末に第１の構成情報を送信するための第２の送信ユニットであって、前記第１の構成情報が少なくとも１つのダウンリンクＢＷＰセットと少なくとも１つのアップリンクＢＷＰセットの構成情報を含み、前記少なくとも１つのダウンリンクＢＷＰセットにおける各ダウンリンクＢＷＰセットが複数のダウンリンクＢＷＰを含み、前記少なくとも１つのアップリンクＢＷＰセットにおける各アップリンクＢＷＰセットが複数のアップリンクＢＷＰを含む第２の送信ユニットを含む請求項１１に記載の装置。
【請求項１３】
前記第１の指示情報が第１のダウンリンクＢＷＰセット又は第１のアップリンクＢＷＰセットの指示情報である場合、前記第１の指示情報は前記端末に前記第１のダウンリンクＢＷＰセットにおける各ダウンリンクＢＷＰと前記第１のアップリンクＢＷＰセットにおける各アップリンクＢＷＰをアクティブ化させるためのものであり、
前記装置はさらに、前記端末に第２の構成情報を送信するための第３の送信ユニットであって、前記第２の構成情報が前記第１のダウンリンクＢＷＰセット及び前記第１のアップリンクＢＷＰセットの少なくとも１つに対応する第１の持続時間情報を含む第３の送信ユニットを含み、
前記第１の持続時間情報が、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間情報で指示された第１の持続時間に達する場合、前記端末に前記第１のダウンリンクＢＷＰセットにおける各ダウンリンクＢＷＰと前記第１のアップリンクＢＷＰセットにおける各アップリンクＢＷＰを非アクティブ化させるためのものであり、または、
前記端末に第３の構成情報を送信するための第４の送信ユニットであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含む第４の送信ユニットを含み、
前記第２の持続時間情報が、前記第１のダウンリンクＢＷＰと前記第１のアップリンクＢＷＰがアクティブ化された持続時間が前記第２の持続時間情報で指示された第２の持続時間に達する場合、前記端末に前記第１のダウンリンクＢＷＰと前記第１のアップリンクＢＷＰを非アクティブ化させるためのものである請求項１２に記載の装置。
【請求項１４】
前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰセットにおける各ダウンリンクＢＷＰと前記第２のアップリンクＢＷＰセットにおける各アップリンクＢＷＰをアクティブ化させるためのものである請求項１２に記載の装置。
【請求項１５】
前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰと前記第２のアップリンクＢＷＰをアクティブ化させるためのものである請求項１２に記載の装置。
【手続補正２】
【補正対象書類名】明細書
【補正対象項目名】全文
【補正方法】変更
【補正の内容】
【発明の詳細な説明】
【技術分野】
【０００１】
本開示は、無線通信技術の分野に関し、特にリソース構成方法及び装置、コンピュータ記憶媒体に関する。
【背景技術】
【０００２】
ロングタームエボリューション（ＬＴＥ（登録商標）、Ｌｏｎｇ  Ｔｅｒｍ  Ｅｖｏｌｕｔｉｏｎ）システムにおいて、端末の周波数ドメインリソースは、システム帯域幅全体で配分されている。第５世代（５Ｇ、５ｔｈ  Ｇｅｎｅｒａｔｉｏｎ）ニューラジオ（ＮＲ、Ｎｅｗ  Ｒａｄｉｏ）システムにおいて、システム帯域幅が大幅に向上したため、端末の伝送帯域幅は、システム帯域幅の一部しか占有しない可能性がある。
【０００３】
５Ｇ  ＮＲに対する現在の研究では、システム帯域幅より小さい範囲での周波数ドメインリソースの配分を実現するように、帯域幅部分（ＢＷＰ、Ｂａｎｄ  Ｗｉｄｔｈ  Ｐａｒｔ）の概念を導入することがすでに決定されている。基地局は、無線リソース制御（ＲＲＣ、Ｒａｄｉｏ  Ｒｅｓｏｕｒｃｅ  Ｃｏｎｔｒｏｌ）シグナリングを介して複数のＢＷＰを構成し、そして、ダウンリンク制御情報（ＤＣＩ、Ｄｏｗｎｌｉｎｋ  Ｃｏｎｔｒｏｌ  Ｉｎｆｏｒｍａｔｉｏｎ）でとあるＢＷＰを動的にアクティブ化する。各種類のＢＷＰがサブキャリア間隔、サイクリックプレフィックス（ＣＰ、Ｃｙｃｌｉｃ  Ｐｒｅｆｉｘ）を含むパラメータセットに基づくものである。現在の解決手段の場合、１つの端末について、１つのＢＷＰしかアクティブ化できず、１つの新たなＢＷＰをアクティブ化すると同時に、元のＢＷＰが非アクティブ化される。
【０００４】
図１に示すように、ＢＷＰ１がアクティブ化された状態である場合、ＢＷＰ２をアクティブ化すると、ＢＷＰ１が非アクティブ化され、ＢＷＰ１も非アクティブ化されると、デフォルトのＢＷＰにフォールバックする。
【０００５】
従来の技術的解決手段によって複数のＢＷＰの同時アクティブ化を支援できず、そして、複数種のパラメータセットの同時使用を支援することもできず、さらに、複数種のタイプのサービスを並行して伝送する時に異なるサービスのそれぞれのパラメータセットを最適化することもできない。かつ、２種のパラメータセット間で切り替えると、２つのＢＷＰ間の切り替えも発生し、端末の無線周波数帯域幅も変換されるようになり、無線周波数帯域幅の変換によって一定の時間内での端末によるデータの送受信もできなくなり、これにより、周波数スペクトルリソースが浪費されるようになる。
【発明の概要】
【発明が解決しようとする課題】
【０００６】
本開示の実施例は、上記技術的問題を解決するために、リソース構成方法及び装置、コンピュータ記憶媒体を提供する。
【課題を解決するための手段】
【０００７】
本開示の実施例に係るリソース構成方法は、
端末はネットワーク機器によって送信された第１の制御情報を受信するステップであって、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであるステップと、
前記端末は前記第１の制御情報に基づき、少なくとも２つのダウンリンクＢＷＰと少なくとも２つのアップリンクＢＷＰをアクティブ化するステップと、を含む。
【０００８】
本開示の実施例において、前記方法は、さらに、
前記端末は前記ネットワーク機器によって送信された第１の構成情報を受信するステップであって、前記第１の構成情報が少なくとも１つのダウンリンクＢＷＰセットと少なくとも１つのアップリンクＢＷＰセットの構成情報を含み、前記少なくとも１つのダウンリンクＢＷＰセットにおける各ダウンリンクＢＷＰセットが複数のダウンリンクＢＷＰを含み、前記少なくとも１つのアップリンクＢＷＰセットにおける各アップリンクＢＷＰセットが複数のアップリンクＢＷＰを含むステップを含む。
【０００９】
本開示の実施例において、前記端末は前記第１の制御情報に基づき、少なくとも２つのダウンリンクＢＷＰと少なくとも２つのアップリンクＢＷＰをアクティブ化するステップは、
前記第１の指示情報が第１のダウンリンクＢＷＰセット又は第１のアップリンクＢＷＰセットの指示情報である場合、前記端末は前記第１のダウンリンクＢＷＰセットにおける各ダウンリンクＢＷＰと前記第１のアップリンクＢＷＰセットにおける各アップリンクＢＷＰをアクティブ化するステップを含む。
【００１０】
本開示の実施例において、前記方法は、さらに、
前記端末は前記ネットワーク機器によって送信された第２の構成情報を受信するステップであって、前記第２の構成情報が前記第１のダウンリンクＢＷＰセット及び／又は前記第１のアップリンクＢＷＰセットに対応する第１の持続時間情報を含むステップと、
前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間情報で指示された第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するステップと、を含む。
【００１１】
本開示の実施例において、前記方法は、さらに、
前記端末は前記ネットワーク機器によって送信された第３の構成情報を受信するステップであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むステップと、
前記第１のダウンリンクＢＷＰと前記第１のアップリンクＢＷＰがアクティブ化された持続時間が前記第２の持続時間情報で指示された第２の持続時間に達する場合、前記第１のダウンリンクＢＷＰと前記第１のアップリンクＢＷＰを非アクティブ化するステップと、を含む。
【００１２】
本開示の実施例において、前記方法は、さらに、
前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するステップを含む。
【００１３】
本開示の実施例において、前記端末は前記第１の制御情報に基づき、少なくとも２つのダウンリンクＢＷＰと少なくとも２つのアップリンクＢＷＰをアクティブ化するステップは、
前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰセットにおける各ダウンリンクＢＷＰと前記第２のアップリンクＢＷＰセットにおける各アップリンクＢＷＰをアクティブ化するステップを含む。
【００１４】
本開示の実施例において、前記方法は、さらに、
前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰと前記第２のアップリンクＢＷＰをアクティブ化するステップを含む。
【００１５】
本開示の実施例において、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【００１６】
本開示の実施例において、前記方法は、さらに、
前記端末は前記ネットワーク機器によって送信された第４の構成情報を受信するステップであって、前記第４の構成情報が前記第２のダウンリンクＢＷＰと前記第２のアップリンクＢＷＰに対応する第３の持続時間情報を含むステップと、
前記第２のダウンリンクＢＷＰと前記第２のアップリンクＢＷＰがアクティブ化された持続時間が前記第３の持続時間情報で指示された第３の持続時間に達する場合、前記第２のダウンリンクＢＷＰセットにおける各ダウンリンクＢＷＰと前記第２のアップリンクＢＷＰセットにおける各アップリンクＢＷＰを非アクティブ化するステップと、を含む。
【００１７】
本開示の実施例において、前記方法は、さらに、
前記端末は前記ネットワーク機器によって送信された第５の構成情報を受信するステップであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含むステップと、
前記第３のダウンリンクＢＷＰと前記第３のアップリンクＢＷＰがアクティブ化された持続時間が前記第４の持続時間情報で指示された第４の持続時間に達する場合、前記第３のダウンリンクＢＷＰと前記第３のアップリンクＢＷＰを非アクティブ化するステップであって、前記第３のダウンリンクＢＷＰが前記第２のダウンリンクＢＷＰとは異なり、前記第３のアップリンクＢＷＰが前記第２のアップリンクＢＷＰとは異なるステップと、を含む。
【００１８】
本開示の実施例において、前記方法は、さらに、
前記第２のダウンリンクＢＷＰセットにおける各ダウンリンクＢＷＰと前記第２のアップリンクＢＷＰセットにおける各アップリンクＢＷＰがいずれも非アクティブ化された場合、デフォルトのＢＷＰをアクティブ化するステップを含む。
【００１９】
本開示の実施例に係るリソース構成方法は、
ネットワーク機器は端末に第１の制御情報を送信するステップであって、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、これにより前記端末は前記第１の制御情報に基づき、少なくとも２つのダウンリンクＢＷＰと少なくとも２つのアップリンクＢＷＰをアクティブ化するステップを含む。
【００２０】
本開示の実施例において、前記方法は、さらに、
前記ネットワーク機器は前記端末に第１の構成情報を送信するステップであって、前記第１の構成情報が少なくとも１つのダウンリンクＢＷＰセットと少なくとも１つのアップリンクＢＷＰセットの構成情報を含み、前記少なくとも１つのダウンリンクＢＷＰセットにおける各ダウンリンクＢＷＰセットが複数のダウンリンクＢＷＰを含み、前記少なくとも１つのアップリンクＢＷＰセットにおける各アップリンクＢＷＰセットが複数のアップリンクＢＷＰを含むステップを含む。
【００２１】
本開示の実施例において、前記第１の指示情報が第１のダウンリンクＢＷＰセット又は第１のアップリンクＢＷＰセットの指示情報である場合、前記第１の指示情報は前記端末に前記第１のダウンリンクＢＷＰセットにおける各ダウンリンクＢＷＰと前記第１のアップリンクＢＷＰセットにおける各アップリンクＢＷＰをアクティブ化させるためのものである。
【００２２】
本開示の実施例において、前記方法は、さらに、
前記ネットワーク機器は前記端末に第２の構成情報を送信するステップであって、前記第２の構成情報が前記第１のダウンリンクＢＷＰセット及び／又は前記第１のアップリンクＢＷＰセットに対応する第１の持続時間情報を含むステップを含み、
前記第１の持続時間情報が、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間情報で指示された第１の持続時間に達する場合、前記端末に前記第１のダウンリンクＢＷＰセットにおける各ダウンリンクＢＷＰと前記第１のアップリンクＢＷＰセットにおける各アップリンクＢＷＰを非アクティブ化させるためのものである。
【００２３】
本開示の実施例において、前記方法は、さらに、
前記ネットワーク機器は前記端末に第３の構成情報を送信するステップであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むステップを含み、
前記第２の持続時間情報が、前記第１のダウンリンクＢＷＰと前記第１のアップリンクＢＷＰがアクティブ化された持続時間が前記第２の持続時間情報で指示された第２の持続時間に達する場合、前記端末に前記第１のダウンリンクＢＷＰと前記第１のアップリンクＢＷＰを非アクティブ化させるためのものである。
【００２４】
本開示の実施例において、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰセットにおける各ダウンリンクＢＷＰと前記第２のアップリンクＢＷＰセットにおける各アップリンクＢＷＰをアクティブ化させるためのものである。
【００２５】
本開示の実施例において、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰと前記第２のアップリンクＢＷＰをアクティブ化させるためのものである。
【００２６】
本開示の実施例において、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【００２７】
本開示の実施例において、前記方法は、さらに、
前記ネットワーク機器は前記端末に第４の構成情報を送信するステップであって、前記第４の構成情報が前記第２のダウンリンクＢＷＰと前記第２のアップリンクＢＷＰに対応する第３の持続時間情報を含むステップを含み、
前記第３の持続時間情報が、前記第２のダウンリンクＢＷＰと前記第２のアップリンクＢＷＰがアクティブ化された持続時間が前記第３の持続時間情報で指示された第３の持続時間に達する場合、前記端末に前記第２のダウンリンクＢＷＰセットにおける各ダウンリンクＢＷＰと前記第２のアップリンクＢＷＰセットにおける各アップリンクＢＷＰを非アクティブ化させるためのものである。
【００２８】
本開示の実施例において、前記方法は、さらに、
前記ネットワーク機器は前記端末に第５の構成情報を送信するステップであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含むステップを含み、
前記第４の持続時間情報が、前記第３のダウンリンクＢＷＰと前記第３のアップリンクＢＷＰがアクティブ化された持続時間が前記第４の持続時間情報で指示された第４の持続時間に達する場合、前記端末に前記第３のダウンリンクＢＷＰと前記第３のアップリンクＢＷＰを非アクティブ化させるためのものであり、前記第３のダウンリンクＢＷＰが前記第２のダウンリンクＢＷＰとは異なり、前記第３のアップリンクＢＷＰが前記第２のアップリンクＢＷＰとは異なる。
【００２９】
本開示の実施例に係るリソース構成装置は、
ネットワーク機器によって送信された第１の制御情報を受信するための第１の受信ユニットであって、前記第１の制御情報が第１の指示情報を含み、前記第１の指示情報がアクティブ化しようとする少なくとも２つのダウンリンク帯域幅部分ＢＷＰと少なくとも２つのアップリンクＢＷＰを決定するためのものである第１の受信ユニットと、
前記第１の制御情報に基づき、少なくとも２つのダウンリンクＢＷＰと少なくとも２つのアップリンクＢＷＰをアクティブ化するためのアクティブ化ユニットと、を含む。
【００３０】
本開示の実施例において、前記装置は、さらに、
前記ネットワーク機器によって送信された第１の構成情報を受信するための第２の受信ユニットであって、前記第１の構成情報が少なくとも１つのダウンリンクＢＷＰセットと少なくとも１つのアップリンクＢＷＰセットの構成情報を含み、前記少なくとも１つのダウンリンクＢＷＰセットにおける各ダウンリンクＢＷＰセットが複数のダウンリンクＢＷＰを含み、前記少なくとも１つのアップリンクＢＷＰセットにおける各アップリンクＢＷＰセットが複数のアップリンクＢＷＰを含む第２の受信ユニットを含む。
【００３１】
本開示の実施例において、前記アクティブ化ユニットは、前記第１の指示情報が第１のダウンリンクＢＷＰセット又は第１のアップリンクＢＷＰセットの指示情報である場合、前記第１のダウンリンクＢＷＰセットにおける各ダウンリンクＢＷＰと前記第１のアップリンクＢＷＰセットにおける各アップリンクＢＷＰをアクティブ化するためのものである。
【００３２】
本開示の実施例において、前記装置は、さらに、
前記ネットワーク機器によって送信された第２の構成情報を受信するための第３の受信ユニットであって、前記第２の構成情報が前記第１のダウンリンクＢＷＰセット及び／又は前記第１のアップリンクＢＷＰセットに対応する第１の持続時間情報を含む第３の受信ユニットと、
前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間情報で指示された第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するための非アクティブ化ユニットと、を含む。
【００３３】
本開示の実施例において、前記装置は、さらに、
前記ネットワーク機器によって送信された第３の構成情報を受信するための第４の受信ユニットであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むための第４の受信ユニットと、
前記第１のダウンリンクＢＷＰと前記第１のアップリンクＢＷＰがアクティブ化された持続時間が前記第２の持続時間情報で指示された第２の持続時間に達する場合、前記第１のダウンリンクＢＷＰと前記第１のアップリンクＢＷＰを非アクティブ化するための非アクティブ化ユニットと、を含む。
【００３４】
本開示の実施例において、前記アクティブ化ユニットはさらに、前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するためのものである。
【００３５】
本開示の実施例において、前記アクティブ化ユニットは、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰセットにおける各ダウンリンクＢＷＰと前記第２のアップリンクＢＷＰセットにおける各アップリンクＢＷＰをアクティブ化するためのものである。
【００３６】
本開示の実施例において、前記アクティブ化ユニットは、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰと前記第２のアップリンクＢＷＰをアクティブ化するためのものである。
【００３７】
本開示の実施例において、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【００３８】
本開示の実施例において、前記装置はさらに、
前記ネットワーク機器によって送信された第４の構成情報を受信するための第５の受信ユニットであって、前記第４の構成情報が前記第２のダウンリンクＢＷＰと前記第２のアップリンクＢＷＰに対応する第３の持続時間情報を含む第５の受信ユニットと、
前記第２のダウンリンクＢＷＰと前記第２のアップリンクＢＷＰがアクティブ化された持続時間が前記第３の持続時間情報で指示された第３の持続時間に達する場合、前記第２のダウンリンクＢＷＰセットにおける各ダウンリンクＢＷＰと前記第２のアップリンクＢＷＰセットにおける各アップリンクＢＷＰを非アクティブ化するための非アクティブ化ユニットと、を含む。
【００３９】
本開示の実施例において、前記装置はさらに、
前記ネットワーク機器によって送信された第５の構成情報を受信するための第６の受信ユニットであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含む第６の受信ユニットと、
前記第３のダウンリンクＢＷＰと前記第３のアップリンクＢＷＰがアクティブ化された持続時間が前記第４の持続時間情報で指示された第４の持続時間に達する場合、前記第３のダウンリンクＢＷＰと前記第３のアップリンクＢＷＰを非アクティブ化するための非アクティブ化ユニットであって、前記第３のダウンリンクＢＷＰが前記第２のダウンリンクＢＷＰとは異なり、前記第３のアップリンクＢＷＰが前記第２のアップリンクＢＷＰとは異なる非アクティブ化ユニットと、を含む。
【００４０】
本開示の実施例において、前記アクティブ化ユニットはさらに、前記第２のダウンリンクＢＷＰセットにおける各ダウンリンクＢＷＰと前記第２のアップリンクＢＷＰセットにおける各アップリンクＢＷＰがいずれも非アクティブ化された場合、デフォルトのＢＷＰをアクティブ化するためのものである。
【００４１】
本開示の実施例に係るリソース構成装置は、
端末に第１の制御情報を送信するための第１の送信ユニットであって、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、これにより前記端末は前記第１の制御情報に基づき、少なくとも２つのダウンリンクＢＷＰと少なくとも２つのアップリンクＢＷＰをアクティブ化するための第１の送信ユニットを含む。
【００４２】
本開示の実施例において、前記装置はさらに、
前記端末に第１の構成情報を送信するための第２の送信ユニットであって、前記第１の構成情報が少なくとも１つのダウンリンクＢＷＰセットと少なくとも１つのアップリンクＢＷＰセットの構成情報を含み、前記少なくとも１つのダウンリンクＢＷＰセットにおける各ダウンリンクＢＷＰセットが複数のダウンリンクＢＷＰを含み、前記少なくとも１つのアップリンクＢＷＰセットにおける各アップリンクＢＷＰセットが複数のアップリンクＢＷＰを含む第２の送信ユニットを含む。
【００４３】
本開示の実施例において、前記第１の指示情報が第１のダウンリンクＢＷＰセット又は第１のアップリンクＢＷＰセットの指示情報である場合、前記第１の指示情報は前記端末に前記第１のダウンリンクＢＷＰセットにおける各ダウンリンクＢＷＰと前記第１のアップリンクＢＷＰセットにおける各アップリンクＢＷＰをアクティブ化させるためのものである。
【００４４】
本開示の実施例において、前記装置は、さらに、
前記端末に第２の構成情報を送信するための第３の送信ユニットであって、前記第２の構成情報が前記第１のダウンリンクＢＷＰセット及び／又は前記第１のアップリンクＢＷＰセットに対応する第１の持続時間情報を含む第３の送信ユニットを含み、
前記第１の持続時間情報が、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間情報で指示された第１の持続時間に達する場合、前記端末に前記第１のダウンリンクＢＷＰセットにおける各ダウンリンクＢＷＰと前記第１のアップリンクＢＷＰセットにおける各アップリンクＢＷＰを非アクティブ化させるためのものである。
【００４５】
本開示の実施例において、前記装置は、さらに、
前記端末に第３の構成情報を送信するための第４の送信ユニットであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含む第４の送信ユニットを含み、
前記第２の持続時間情報が、前記第１のダウンリンクＢＷＰと前記第１のアップリンクＢＷＰがアクティブ化された持続時間が前記第２の持続時間情報で指示された第２の持続時間に達する場合、前記端末に前記第１のダウンリンクＢＷＰと前記第１のアップリンクＢＷＰを非アクティブ化させるためのものである。
【００４６】
本開示の実施例において、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰセットにおける各ダウンリンクＢＷＰと前記第２のアップリンクＢＷＰセットにおける各アップリンクＢＷＰをアクティブ化させるためのものである。
【００４７】
本開示の実施例において、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰと前記第２のアップリンクＢＷＰをアクティブ化させるためのものである。
【００４８】
本開示の実施例において、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【００４９】
本開示の実施例において、前記装置は、さらに、
前記端末に第４の構成情報を送信するための第５の送信ユニットであって、前記第４の構成情報が前記第２のダウンリンクＢＷＰと前記第２のアップリンクＢＷＰに対応する第３の持続時間情報を含む第５の送信ユニットを含み、
前記第３の持続時間情報が、前記第２のダウンリンクＢＷＰと前記第２のアップリンクＢＷＰがアクティブ化された持続時間が前記第３の持続時間情報で指示された第３の持続時間に達する場合、前記端末に前記第２のダウンリンクＢＷＰセットにおける各ダウンリンクＢＷＰと前記第２のアップリンクＢＷＰセットにおける各アップリンクＢＷＰを非アクティブ化させるためのものである。
【００５０】
本開示の実施例において、前記装置は、さらに、
前記端末に第５の構成情報を送信するための第６の送信ユニットであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含む第６の送信ユニットを含み、
前記第４の持続時間情報が、前記第３のダウンリンクＢＷＰと前記第３のアップリンクＢＷＰがアクティブ化された持続時間が前記第４の持続時間情報で指示された第４の持続時間に達する場合、前記端末に前記第３のダウンリンクＢＷＰと前記第３のアップリンクＢＷＰを非アクティブ化させるためのものであり、前記第３のダウンリンクＢＷＰが前記第２のダウンリンクＢＷＰとは異なり、前記第３のアップリンクＢＷＰが前記第２のアップリンクＢＷＰとは異なる。
【００５１】
本開示の実施例に係るコンピュータ記憶媒体は、コンピュータ実行可能な命令が記憶されており、該コンピュータ実行可能な命令がプロセッサによって実行される時、上記のリソース構成方法を実現する。
【発明の効果】
【００５２】
本開示の実施例の技術的解決手段では、端末はネットワーク機器によって送信された第１の制御情報を受信し、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、前記端末は前記第１の制御情報に基づき、少なくとも２つのダウンリンクＢＷＰと少なくとも２つのアップリンクＢＷＰをアクティブ化する。本開示の実施例の技術的解決手段を採り、帯域幅部分セット（ＢＷＰ  ｓｅｔ）の概念が導入され、ＢＷＰセットを構成することで複数の帯域幅部分ペア（ＢＷＰペア）の同時アクティブ化が実現でき、アクティブ化された複数のＢＷＰペア（１つのＢＷＰペアが１つのアップリンクＢＷＰと１つのダウンリンクＢＷＰを含む）を利用した信号伝送は、複数のタイプのサービスの同時伝送を柔軟に支持し、システムのスケジューリングの柔軟性と周波数スペクトルの利用率を向上させることができる。
【図面の簡単な説明】
【００５３】
本明細書で説明する図面は、本開示のさらなる理解を提供するためのものであり、本願の一部を構成しており、本開示の例示的実施例及びそれらの説明は、本開示を解釈するためのものであり、本開示に対する過度の制限を構成しない。
【図１】アクティブ化された状態であるＢＷＰが１つしかない場合の概略図である。
【図２】本開示の実施例に係るリソース構成方法のフローチャート１である。
【図３】本開示の実施例に係るリソース構成方法のフローチャート２である。
【図４】本開示の実施例に係るＢＷＰペアセット（ｐａｉｒ  ｓｅｔ）におけるＢＷＰが同時に非アクティブ化された場合の概略図である。
【図５】本開示の実施例に係るＢＷＰペアセットにおけるＢＷＰがそれぞれ非アクティブ化された場合の概略図である。
【図６】本開示の実施例に係る１つのＢＷＰペアセットにおけるＢＷＰの周波数ドメイン位置と帯域幅の大きさが同じである場合の概略図である。
【図７】本開示の実施例に係る１つのＢＷＰペアセットでは、ＤＬ  ＢＷＰ２、…、ＤＬ  ＢＷＰＮの周波数ドメイン範囲がＤＬ  ＢＷＰ１の周波数ドメイン範囲内にあり、ＵＬ  ＢＷＰ２、…、ＵＬ  ＢＷＰＮの周波数ドメイン範囲がＵＬ  ＢＷＰ１の周波数ドメイン範囲内にある場合の概略図である。
【図８】本開示の実施例の周波数ドメイン位置と帯域幅の大きさが同じであるＢＷＰペアが同時に非アクティブ化された場合の概略図である。
【図９】本開示の実施例に係るＤＬ  ＢＷＰ１、ＵＬ  ＢＷＰ１に対するタイマー１（ｔｉｍｅｒ１）が期限切れ（ｅｘｐｉｒｅ）になった後、ＤＬ  ＢＷＰ１、ＵＬ  ＢＷＰ１と、ＤＬ  ＢＷＰ１、ＵＬ  ＢＷＰ１の周波数ドメイン範囲内にあるＤＬ  ＢＷＰ２、ＵＬ  ＢＷＰ２とが同時に非アクティブ化された場合の概略図である。
【図１０】本開示の実施例に係るＤＬ  ＢＷＰ２、ＵＬ  ＢＷＰ２がＤＬ  ＢＷＰ１、ＵＬ  ＢＷＰ１より先に非アクティブ化された場合の概略図である。
【図１１】本開示の実施例に係るＤＬ  ＢＷＰ１、ＵＬ  ＢＷＰ１がＤＬ  ＢＷＰ２、ＵＬ  ＢＷＰ２より先に非アクティブ化された場合の概略図である。
【図１２】本開示の実施例に係るリソース構成装置の構造構成概略図１である。
【図１３】本開示の実施例に係るリソース構成装置の構造構成概略図２である。
【図１４】本開示の実施例に係るコンピュータ機器の構造構成概略図である。
【発明を実施するための形態】
【００５４】
本開示の実施例の特徴及び技術的内容をより詳細に理解するために、以下は、図面を合わせて本開示の実施例の実現を詳細に説明し、添付の図面は参照説明のためだけであり、本開示の実施例を限定するためのものではない。
【００５５】
図２は、本開示の実施例に係るリソース構成方法のフローチャート１であり、図２に示すように、前記リソース構成方法は以下のステップを含む。
【００５６】
ステップ２０１において、端末はネットワーク機器によって送信された第１の制御情報を受信し、前記第１の制御情報が第１の指示情報を含み、前記第１の指示情報がアクティブ化しようとする少なくとも２つのダウンリンクＢＷＰと少なくとも２つのアップリンクＢＷＰを決定するためのものである。
【００５７】
本開示の実施例において、前記端末は、携帯電話、タブレット、ラップトップ、デスクトップなどのネットワークと通信できる任意の機器であってもよい。
【００５８】
本開示の実施例において、前記ネットワーク機器は、基地局、例えば、５ＧシステムのｇＮＢであってもよい。
【００５９】
本開示の実施例において、前記第１の制御情報は、ＤＣＩ又はメディアアクセス制御の制御要素（ＭＡＣ  ＣＥ、Ｍｅｄｉａ  Ａｃｃｅｓｓ  Ｃｏｎｔｒｏｌ  Ｃｏｎｔｒｏｌ  Ｅｌｅｍｅｎｔ）である。
【００６０】
ステップ２０２において、前記端末は前記第１の制御情報に基づき、少なくとも２つのダウンリンクＢＷＰと少なくとも２つのアップリンクＢＷＰをアクティブ化する。
【００６１】
本開示の実施例において、前記端末は前記ネットワーク機器によって送信された第１の構成情報を受信し、前記第１の構成情報が少なくとも１つのダウンリンクＢＷＰセットと少なくとも１つのアップリンクＢＷＰセットの構成情報を含み、前記少なくとも１つのダウンリンクＢＷＰセットにおける各ダウンリンクＢＷＰセットが複数のダウンリンクＢＷＰを含み、前記少なくとも１つのアップリンクＢＷＰセットにおける各アップリンクＢＷＰセットが複数のアップリンクＢＷＰを含む。
【００６２】
ここでは、１つのＢＷＰセットの構成情報は該ＢＷＰセットに含まれる各ＢＷＰのＢＷＰ  ＩＤ、周波数ドメイン位置、帯域幅の大きさ、パラメータセットを含み、パラメータセットがサブキャリア間隔とＣＰを含む。
【００６３】
注意すべきものとして、本開示の実施例に係るダウンリンクＢＷＰとアップリンクＢＷＰはペアで現れ、例えば、ダウンリンクＢＷＰ１とアップリンクＢＷＰ１は共にアクティブ化されたり、又は共に非アクティブ化されたりする必要がある。
【００６４】
本開示の実施例において、前記第１の構成情報がＲＲＣシグナリング又はシステム情報（ＳＩ、Ｓｙｓｔｅｍ  Ｉｎｆｏｒｍａｔｉｏｎ）である。
【００６５】
本開示の実施例において、前記端末は前記第１の制御情報に基づき、少なくとも２つのダウンリンクＢＷＰと少なくとも２つのアップリンクＢＷＰをアクティブ化するステップは、以下の形態によって実現され得る。
【００６６】
形態１において、前記第１の指示情報が第１のダウンリンクＢＷＰセット又は第１のアップリンクＢＷＰセットの指示情報である場合、前記端末は前記第１のダウンリンクＢＷＰセットにおける各ダウンリンクＢＷＰと前記第１のアップリンクＢＷＰセットにおける各アップリンクＢＷＰをアクティブ化する。
【００６７】
例えば、第１の構成情報にダウンリンクの第１のＤＬ  ＢＷＰセットとアップリンクの第１のＵＬ  ＢＷＰセットに対する構成情報が含まれ、第１のＤＬ  ＢＷＰセットにＤＬ＿ＢＷＰ１、…、ＤＬ＿ＢＷＰＮ（Ｎ≧２）が含まれ、第１のＵＬ  ＢＷＰセットにＵＬ＿ＢＷＰ１、…、ＵＬ＿ＢＷＰＮ（Ｎ≧２）が含まれる。端末は、前記第１のＤＬ  ＢＷＰセット又は第２のＵＬ  ＢＷＰセットの指示情報が含まれる第１の制御情報を受信した後、ＤＬ＿ＢＷＰ１、…、ＤＬ＿ＢＷＰＮとＵＬ＿ＢＷＰ１、…、ＵＬ＿ＢＷＰＮをアクティブ化し、前記ＤＬ＿ＢＷＰ１、…、ＤＬ＿ＢＷＰＮがダウンリンクアクティブ化ＢＷＰとなり、前記ＵＬ＿ＢＷＰ１、…、ＵＬ＿ＢＷＰＮがアップリンクアクティブ化ＢＷＰとなる。
【００６８】
１つの実施形態では、前記方法はさらに、前記端末は前記ネットワーク機器によって送信された第２の構成情報を受信するステップであって、前記第２の構成情報が前記第１のダウンリンクＢＷＰセット及び／又は前記第１のアップリンクＢＷＰセットに対応する第１の持続時間情報を含むステップと、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間情報で指示された第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するステップと、を含む。
【００６９】
例えば、端末はネットワーク機器から第２の構成情報を受信し、前記第２の構成情報の構成に前記第１のＤＬ  ＢＷＰセット及び／又は第１のＵＬ  ＢＷＰセットに対するタイマー（ｓｅｔ＿ｔｉｍｅｒ）の情報が含まれ、ｓｅｔ＿ｔｉｍｅｒが期限切れ（ｅｘｐｉｒｅ）になった後、前記ＤＬ＿ＢＷＰ１、…、ＤＬ＿ＢＷＰＮと、ＵＬ＿ＢＷＰ１、…、ＵＬ＿ＢＷＰＮが非アクティブ化される。
【００７０】
１つの実施形態では、前記方法はさらに、前記端末は前記ネットワーク機器によって送信された第３の構成情報を受信するステップであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むステップと、前記第１のダウンリンクＢＷＰと前記第１のアップリンクＢＷＰがアクティブ化された持続時間が前記第２の持続時間情報で指示された第２の持続時間に達する場合、前記第１のダウンリンクＢＷＰと前記第１のアップリンクＢＷＰを非アクティブ化するステップと、を含む。
【００７１】
例えば、端末はネットワーク機器から第３の構成情報を受信し、前記第３の構成情報の構成にＤＬ  ＢＷＰｉ、ＵＬ  ＢＷＰｉ（ｉ＝１、…、Ｎ）に対するタイマー（ｔｉｍｅｒｉ）が含まれ、ｔｉｍｅｒｉが期限切れ（ｅｘｐｉｒｅ）になった後、ＤＬ  ＢＷＰｉ、ＵＬ  ＢＷＰｉが非アクティブ化される。
【００７２】
１つの実施形態では、前記方法はさらに、前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するステップを含む。
【００７３】
例えば、ＤＬ＿ＢＷＰ１、…、ＤＬ＿ＢＷＰＮと、ＵＬ＿ＢＷＰ１、…、ＵＬ＿ＢＷＰＮが非アクティブ化された後、ダウンリンクアクティブ化ＢＷＰとアップリンクアクティブ化ＢＷＰはデフォルトのＢＷＰに変更される。
【００７４】
形態２において、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰセットにおける各ダウンリンクＢＷＰと前記第２のアップリンクＢＷＰセットにおける各アップリンクＢＷＰをアクティブ化する。
【００７５】
例えば、第１の構成情報にダウンリンクの第２のＤＬ  ＢＷＰセットとアップリンクの第２のＵＬ  ＢＷＰセットに対する構成情報が含まれ、第２のＤＬ  ＢＷＰセットにＤＬ＿ＢＷＰ１、…、ＤＬ＿ＢＷＰＮ（Ｎ≧２）が含まれ、第２のＵＬ  ＢＷＰセットにＵＬ＿ＢＷＰ１、…、ＵＬ＿ＢＷＰＮ（Ｎ≧２）が含まれる。第２のＤＬ  ＢＷＰセットにおけるＤＬ＿ＢＷＰ１、…、ＤＬ＿ＢＷＰＮ（Ｎ≧２）と第２のＵＬ  ＢＷＰセットにおけるＵＬ＿ＢＷＰ１、…、ＵＬ＿ＢＷＰＮ（Ｎ≧２）が所定の規則を満たす場合、端末は、ＤＬ＿ＢＷＰ１及び／又はＵＬ＿ＢＷＰ１の指示情報が含まれる第１の制御情報を受信した後、ＤＬ＿ＢＷＰ１、…、ＤＬ＿ＢＷＰＮとＵＬ＿ＢＷＰ１、…、ＵＬ＿ＢＷＰＮをアクティブ化し、前記ＤＬ＿ＢＷＰ１、…、ＤＬ＿ＢＷＰＮがダウンリンクアクティブ化ＢＷＰとなり、前記ＵＬ＿ＢＷＰ１、…、ＵＬ＿ＢＷＰＮがアップリンクアクティブ化ＢＷＰとなる。
【００７６】
１つの実施形態では、前記方法はさらに、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記端末は前記第２のダウンリンクＢＷＰと前記第２のアップリンクＢＷＰをアクティブ化するステップを含む。
【００７７】
例えば、構成された第２のダウンリンクＢＷＰセットと第２のアップリンクＢＷＰセットでは、所定の規則を満たすようなＤＬ＿ＢＷＰ１、…、ＤＬ＿ＢＷＰＮ（Ｎ≧２）が存在しないか又は所定の規則を満たすＵＬ＿ＢＷＰ１、…、ＵＬ＿ＢＷＰＮ（Ｎ≧２）が存在しない場合、端末は、ＤＬ＿ＢＷＰ１又はＵＬ＿ＢＷＰ１の指示情報が含まれる第１の制御情報を受信した後、前記ＤＬ＿ＢＷＰ１がダウンリンクアクティブ化ＢＷＰとなり、前記ＵＬ＿ＢＷＰ１がアップリンクアクティブ化ＢＷＰとなる。
【００７８】
本開示の実施例において、前記第２のダウンリンクＢＷＰセットにおける各ダウンリンクＢＷＰと第２のアップリンクＢＷＰセットにおける各アップリンクＢＷＰが所定の規則を満たすことは、以下の少なくとも１つを含む。
【００７９】
１）前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、
例えば、ＤＬ＿ＢＷＰ１、…、ＤＬ＿ＢＷＰＮの周波数ドメイン位置と帯域幅の大きさが一致し且つＵＬ＿ＢＷＰ１、…、ＵＬ＿ＢＷＰＮの周波数ドメイン位置と帯域幅の大きさが一致する。
【００８０】
２）前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、
例えば、ＤＬ＿ＢＷＰ２、…、ＤＬ＿ＢＷＰＮの周波数ドメイン範囲がＤＬ＿ＢＷＰ１の周波数ドメイン範囲内にあり且つＵＬ＿ＢＷＰ２、…、ＵＬ＿ＢＷＰＮの周波数ドメイン範囲がＵＬ＿ＢＷＰ１の周波数ドメイン範囲内にある。
【００８１】
３）前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできること。
【００８２】
例えば、前記端末の無線周波数帯域幅機能がＤＬ＿ＢＷＰ１、…、ＤＬ＿ＢＷＰＮの周波数ドメイン範囲とＵＬ＿ＢＷＰ１、…、ＵＬ＿ＢＷＰＮの周波数ドメイン範囲を同時にカバーできる。
【００８３】
１つの実施形態では、前記方法は、さらに、前記端末は前記ネットワーク機器によって送信された第４の構成情報を受信するステップであって、前記第４の構成情報が前記第２のダウンリンクＢＷＰと前記第２のアップリンクＢＷＰに対応する第３の持続時間情報を含むステップと、前記第２のダウンリンクＢＷＰと前記第２のアップリンクＢＷＰがアクティブ化された持続時間が前記第３の持続時間情報で指示された第３の持続時間に達する場合、前記第２のダウンリンクＢＷＰセットにおける各ダウンリンクＢＷＰと前記第２のアップリンクＢＷＰセットにおける各アップリンクＢＷＰを非アクティブ化するステップと、を含む。
【００８４】
例えば、前記ＤＬ＿ＢＷＰ１とＵＬ＿ＢＷＰ１に対するタイマー（ｔｉｍｅｒ１）が期限切れ（ｅｘｐｉｒｅ）になった後、前記ＤＬ＿ＢＷＰ１、…、ＤＬ＿ＢＷＰＮとＵＬ＿ＢＷＰ１、…、ＵＬ＿ＢＷＰＮが非アクティブ化される。
【００８５】
１つの実施形態では、前記方法は、さらに、前記端末は前記ネットワーク機器によって送信された第５の構成情報を受信するステップであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含むステップと、前記第３のダウンリンクＢＷＰと前記第３のアップリンクＢＷＰがアクティブ化された持続時間が前記第４の持続時間情報で指示された第４の持続時間に達する場合、前記第３のダウンリンクＢＷＰと前記第３のアップリンクＢＷＰを非アクティブ化するステップであって、前記第３のダウンリンクＢＷＰが前記第２のダウンリンクＢＷＰとは異なり、前記第３のアップリンクＢＷＰが前記第２のアップリンクＢＷＰとは異なるステップと、を含む。
【００８６】
例えば、ＤＬ  ＢＷＰｉ、ＵＬ  ＢＷＰｉ（ｉ＝２、…、Ｎ）に対するタイマーｉ（ｔｉｍｅｒｉ）が期限切れ（ｅｘｐｉｒｅ）になった後、ＤＬ  ＢＷＰｉ、ＵＬ  ＢＷＰｉが非アクティブ化される。
【００８７】
本開示の実施例において、前記方法はさらに、前記第２のダウンリンクＢＷＰセットにおける各ダウンリンクＢＷＰと前記第２のアップリンクＢＷＰセットにおける各アップリンクＢＷＰがいずれも非アクティブ化された場合、デフォルトのＢＷＰをアクティブ化するステップを含む。
【００８８】
例えば、ＤＬ＿ＢＷＰ１、…、ＤＬ＿ＢＷＰＮとＵＬ＿ＢＷＰ１、…、ＵＬ＿ＢＷＰＮがいずれも非アクティブ化された後、ダウンリンクアクティブ化ＢＷＰとアップリンクアクティブ化ＢＷＰはデフォルトのＢＷＰに変更される。
【００８９】
図３は、本開示の実施例に係るリソース構成方法のフローチャート２であり、図３に示すように、前記リソース構成方法は以下のステップを含む。
【００９０】
ステップ３０１において、ネットワーク機器は端末に第１の制御情報を送信し、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、これにより前記端末は前記第１の制御情報に基づき、少なくとも２つのダウンリンクＢＷＰと少なくとも２つのアップリンクＢＷＰをアクティブ化する。
【００９１】
１つの実施形態では、前記方法はさらに、前記ネットワーク機器は前記端末に第１の構成情報を送信するステップであって、前記第１の構成情報が少なくとも１つのダウンリンクＢＷＰセットと少なくとも１つのアップリンクＢＷＰセットの構成情報を含み、前記少なくとも１つのダウンリンクＢＷＰセットにおける各ダウンリンクＢＷＰセットが複数のダウンリンクＢＷＰを含み、前記少なくとも１つのアップリンクＢＷＰセットにおける各アップリンクＢＷＰセットが複数のアップリンクＢＷＰを含むステップを含む。
【００９２】
本開示の実施例において、前記第１の指示情報がアクティブ化しようとする少なくとも２つのダウンリンクＢＷＰと少なくとも２つのアップリンクＢＷＰを決定するためのものであるステップは、以下の形態によって実現され得る。
【００９３】
形態１において、前記第１の指示情報が第１のダウンリンクＢＷＰセット又は第１のアップリンクＢＷＰセットの指示情報である場合、前記第１の指示情報は前記端末に前記第１のダウンリンクＢＷＰセットにおける各ダウンリンクＢＷＰと前記第１のアップリンクＢＷＰセットにおける各アップリンクＢＷＰをアクティブ化させるためのものである。
【００９４】
１つの実施形態では、前記方法はさらに、前記ネットワーク機器は前記端末に第２の構成情報を送信するステップであって、前記第２の構成情報が前記第１のダウンリンクＢＷＰセット及び／又は前記第１のアップリンクＢＷＰセットに対応する第１の持続時間情報を含むステップを含み、前記第１の持続時間情報が、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間情報で指示された第１の持続時間に達する場合、前記端末に前記第１のダウンリンクＢＷＰセットにおける各ダウンリンクＢＷＰと前記第１のアップリンクＢＷＰセットにおける各アップリンクＢＷＰを非アクティブ化させるためのものである。
【００９５】
１つの実施形態では、前記方法はさらに、前記ネットワーク機器は前記端末に第３の構成情報を送信するステップであって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含むステップを含み、前記第２の持続時間情報が、前記第１のダウンリンクＢＷＰと前記第１のアップリンクＢＷＰがアクティブ化された持続時間が前記第２の持続時間情報で指示された第２の持続時間に達する場合、前記端末に前記第１のダウンリンクＢＷＰと前記第１のアップリンクＢＷＰを非アクティブ化させるためのものである。
【００９６】
形態２において、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰセットにおける各ダウンリンクＢＷＰと前記第２のアップリンクＢＷＰセットにおける各アップリンクＢＷＰをアクティブ化させるためのものである。
【００９７】
１つの実施形態では、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰと前記第２のアップリンクＢＷＰをアクティブ化させるためのものである。
【００９８】
１つの実施形態では、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【００９９】
１つの実施形態では、前記方法はさらに、前記ネットワーク機器は前記端末に第４の構成情報を送信するステップであって、前記第４の構成情報が前記第２のダウンリンクＢＷＰと前記第２のアップリンクＢＷＰに対応する第３の持続時間情報を含むステップを含み、前記第３の持続時間情報が、前記第２のダウンリンクＢＷＰと前記第２のアップリンクＢＷＰがアクティブ化された持続時間が前記第３の持続時間情報で指示された第３の持続時間に達する場合、前記端末に前記第２のダウンリンクＢＷＰセットにおける各ダウンリンクＢＷＰと前記第２のアップリンクＢＷＰセットにおける各アップリンクＢＷＰを非アクティブ化させるためのものである。
【０１００】
１つの実施形態では、前記方法はさらに、前記ネットワーク機器は前記端末に第５の構成情報を送信するステップであって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含むステップを含み、前記第４の持続時間情報が、前記第３のダウンリンクＢＷＰと前記第３のアップリンクＢＷＰがアクティブ化された持続時間が前記第４の持続時間情報で指示された第４の持続時間に達する場合、前記端末に前記第３のダウンリンクＢＷＰと前記第３のアップリンクＢＷＰを非アクティブ化させるためのものであり、前記第３のダウンリンクＢＷＰが前記第２のダウンリンクＢＷＰとは異なり、前記第３のアップリンクＢＷＰが前記第２のアップリンクＢＷＰとは異なる。
【０１０１】
以下は具体的な応用例を合わせて本開示の実施例の技術的解決手段についてさらに説明する。
【０１０２】
例１において、ＢＷＰペアセットの構成やアクティブ化
表１、表２に示すように、第１の構成情報が４つのダウンリンクＢＷＰと４つのアップリンクＢＷＰを構成し、２つのＢＷＰペアセットにどちらのＢＷＰペアが含まれるかを構成し、ＢＷＰペアセット１にＤＬ  ＢＷＰ１、ＵＬ  ＢＷＰ１とＤＬ  ＢＷＰ２、ＵＬ  ＢＷＰ２が含まれ、ＢＷＰペアセット２にＤＬ  ＢＷＰ３、ＵＬ  ＢＷＰ３とＤＬ  ＢＷＰ４、ＵＬ  ＢＷＰ４が含まれる。第１の制御情報においてＢＷＰペアセット１のＩＤが含まれる場合、ＤＬ  ＢＷＰ１、ＵＬ  ＢＷＰ１とＤＬ  ＢＷＰ２、ＵＬ  ＢＷＰ２が同時にアクティブ化され、第１の制御情報においてＢＷＰペアセット２のＩＤが含まれる場合、ＤＬ  ＢＷＰ３、ＵＬ  ＢＷＰ３とＤＬ  ＢＷＰ４、ＵＬ  ＢＷＰ４が同時にアクティブ化される。
【０１０３】
【表１】
2021516893.tif 000022
【０１０４】
【表２】
2021516893.tif 000023
【０１０５】
同じ効果を取得するもう１つの方法は表３に示され、即ち、２つのダウンリンクＢＷＰセットを構成し、それぞれのＢＷＰセットに含まれるＢＷＰを構成する。
【０１０６】
【表３】
2021516893.tif 000024
【０１０７】
例２、ＢＷＰセットにおけるＢＷＰの同時非アクティブ化
図４に示すように、ＢＷＰペアセット１に属するＤＬ  ＢＷＰ１、ＵＬ  ＢＷＰ１とＤＬ  ＢＷＰ２、ＵＬ  ＢＷＰ２がアクティブ化された状態であり、ＢＷＰペアセット１に対するｔｉｍｅｒが期限切れになった場合、ＤＬ  ＢＷＰ１、ＵＬ  ＢＷＰ１とＤＬ  ＢＷＰ２、ＵＬ  ＢＷＰ２が同時に非アクティブ化される。
【０１０８】
例３、ＢＷＰペアセットにおけるＢＷＰそれぞれの非アクティブ化
図５に示すように、ＢＷＰペアセット１に属するＤＬ  ＢＷＰ１、ＵＬ  ＢＷＰ１とＤＬ  ＢＷＰ２、ＵＬ  ＢＷＰ２がアクティブ化された状態であり、ＤＬ  ＢＷＰ２、ＵＬ  ＢＷＰ２に対するタイマー２（ｔｉｍｅｒ２）が期限切れになった場合、ＤＬ  ＢＷＰ  ２、ＵＬ  ＢＷＰ２が非アクティブ化され、ＤＬ  ＢＷＰ１、ＵＬ  ＢＷＰ１に対するｔｉｍｅｒ１が期限切れ（ｅｘｐｉｒｅ）になった場合、ＤＬ  ＢＷＰ１、ＵＬ  ＢＷＰ１も非アクティブ化される。
【０１０９】
例４、ＢＷＰペアセットの構成やアクティブ化
表４、図６に示すように第１の所定の規則について、１つのＢＷＰペアセットでは、各ＤＬ  ＢＷＰの周波数ドメイン位置と帯域幅の大きさが同じであり、各ＵＬ  ＢＷＰの周波数ドメイン位置と帯域幅の大きさが同じである。第１の構成情報が４つのＤＬ  ＢＷＰと４つのＵＬ  ＢＷＰを構成し、ＤＬ  ＢＷＰ１とＤＬ  ＢＷＰ  ２の周波数ドメイン位置と帯域幅の大きさが同じであり、ＵＬ  ＢＷＰ１とＵＬ  ＢＷＰ  ２の周波数ドメイン位置と帯域幅の大きさが同じであり、１つのＢＷＰペアセットが形成される。ＤＬ  ＢＷＰ３とＤＬ  ＢＷＰ  ４の周波数ドメイン位置と帯域幅の大きさが同じであり、ＵＬ  ＢＷＰ３とＵＬ  ＢＷＰ  ４の周波数ドメイン位置と帯域幅の大きさが同じであり、もう１つのＢＷＰペアセットが形成される。第１の制御情報にはＤＬ  ＢＷＰ１又はＤＬ  ＢＷＰ  ２又はＵＬ  ＢＷＰ１又はＵＬ  ＢＷＰ  ２のＩＤが含まれた場合、ＤＬ  ＢＷＰ１、ＵＬ  ＢＷＰ１とＤＬ  ＢＷＰ  ２、ＵＬ  ＢＷＰ２が同時にアクティブ化され、第１の制御情報にはＤＬ  ＢＷＰ３又はＤＬ  ＢＷＰ  ４又はＵＬ  ＢＷＰ３又はＵＬ  ＢＷＰ  ４のＩＤが含まれた場合、ＤＬ  ＢＷＰ３、ＵＬ  ＢＷＰ３とＤＬ  ＢＷＰ４、ＵＬ  ＢＷＰ４が同時にアクティブ化される。
【０１１０】
【表４】
2021516893.tif 000025
【０１１１】
表５、図７に示すように第２の所定の規則について、１つのＢＷＰセットではＢＷＰ２、…、ＢＷＰＮの周波数ドメイン範囲がＢＷＰ１の周波数ドメイン範囲内にある。第１の構成情報が４つのダウンリンクＢＷＰを構成し、ＤＬ  ＢＷＰ  ２の周波数ドメイン範囲がＤＬ  ＢＷＰ１の周波数ドメイン範囲内にあり、ＤＬ  ＢＷＰ１とＤＬ  ＢＷＰ  ２が１つのＤＬ  ＢＷＰセットを形成し、ＤＬ  ＢＷＰ  ４の周波数ドメイン範囲がＤＬ  ＢＷＰ３の周波数ドメイン範囲内にあり、ＤＬ  ＢＷＰ３とＤＬ  ＢＷＰ  ４がもう１つのＤＬ  ＢＷＰセットを形成する。第１の制御情報にはＤＬ  ＢＷＰ１又はＤＬ  ＢＷＰ  ２のＩＤが含まれた場合、ＤＬ  ＢＷＰ１とＤＬ  ＢＷＰ  ２が同時にアクティブ化され、第１の制御情報にはＤＬ  ＢＷＰ３又はＤＬ  ＢＷＰ  ４のＩＤが含まれた場合、ＤＬ  ＢＷＰ３とＤＬ  ＢＷＰ  ４が同時にアクティブ化される。
【０１１２】
【表５】
2021516893.tif 000026
【０１１３】
例５、ＢＷＰペアセットにおけるＢＷＰの同時非アクティブ化
図８、図９に示すように、ＤＬ  ＢＷＰ１、ＵＬ  ＢＷＰ１とＤＬ  ＢＷＰ２、ＵＬ  ＢＷＰ２が共にアクティブ化された状態であり、且つＤＬ  ＢＷＰ１とＤＬ  ＢＷＰ２の周波数ドメイン位置と帯域幅の大きさが同じであり且つＵＬ  ＢＷＰ１とＵＬ  ＢＷＰ２の周波数ドメイン位置と帯域幅の大きさが同じであるか、又はＤＬ  ＢＷＰ２の周波数ドメイン範囲がＤＬ  ＢＷＰ１の周波数ドメイン範囲内にあり且つＵＬ  ＢＷＰ２の周波数ドメイン範囲がＵＬ  ＢＷＰ１の周波数ドメイン範囲内にある場合、ＤＬ  ＢＷＰ１、ＵＬ  ＢＷＰ１に対するｔｉｍｅｒ１が期限切れ（ｅｘｐｉｒｅ）になった後、ＤＬ  ＢＷＰ１、ＵＬ  ＢＷＰ１とＤＬ  ＢＷＰ２、ＵＬ  ＢＷＰ２が同時に非アクティブ化される。
【０１１４】
例６、ＢＷＰペアセットにおけるＢＷＰそれぞれの非アクティブ化
図１０、図１１に示すように、ＤＬ  ＢＷＰ１、ＵＬ  ＢＷＰ１とＤＬ  ＢＷＰ２、ＵＬ  ＢＷＰ２が共にアクティブ化された状態であり、ＤＬ  ＢＷＰ１、ＵＬ  ＢＷＰ１に対するｔｉｍｅｒ１が期限切れ（ｅｘｐｉｒｅ）になった後、ＤＬ  ＢＷＰ１、ＵＬ  ＢＷＰ１が非アクティブ化され、ＤＬ  ＢＷＰ２、ＵＬ  ＢＷＰ２が依然としてアクティブ化された状態である。ＤＬ  ＢＷＰ２、ＵＬ  ＢＷＰ２に対するｔｉｍｅｒ２が期限切れ（ｅｘｐｉｒｅ）になった後、ＤＬ  ＢＷＰ２、ＵＬ  ＢＷＰ２が非アクティブ化され、ＤＬ  ＢＷＰ１、ＵＬ  ＢＷＰ１が依然としてアクティブ化された状態である。
【０１１５】
図１２は、本開示の実施例に係るリソース構成装置の構造構成概略図１であり、図１２に示すように、前記リソース構成装置は、
ネットワーク機器によって送信された第１の制御情報を受信するための第１の受信ユニット１２０１であって、前記第１の制御情報が第１の指示情報を含み、前記第１の指示情報がアクティブ化しようとする少なくとも２つのダウンリンク帯域幅部分ＢＷＰと少なくとも２つのアップリンクＢＷＰを決定するためのものである第１の受信ユニット１２０１と、
前記第１の制御情報に基づき、少なくとも２つのダウンリンクＢＷＰと少なくとも２つのアップリンクＢＷＰをアクティブ化するためのアクティブ化ユニット１２０２と、を含む。
【０１１６】
１つの実施形態では、前記装置はさらに、
前記ネットワーク機器によって送信された第１の構成情報を受信するための第２の受信ユニット１２０３であって、前記第１の構成情報が少なくとも１つのダウンリンクＢＷＰセットと少なくとも１つのアップリンクＢＷＰセットの構成情報を含み、前記少なくとも１つのダウンリンクＢＷＰセットにおける各ダウンリンクＢＷＰセットが複数のダウンリンクＢＷＰを含み、前記少なくとも１つのアップリンクＢＷＰセットにおける各アップリンクＢＷＰセットが複数のアップリンクＢＷＰを含む第２の受信ユニット１２０３を含む。
【０１１７】
１つの実施形態では、前記アクティブ化ユニット１２０２は、前記第１の指示情報が第１のダウンリンクＢＷＰセット又は第１のアップリンクＢＷＰセットの指示情報である場合、前記第１のダウンリンクＢＷＰセットにおける各ダウンリンクＢＷＰと前記第１のアップリンクＢＷＰセットにおける各アップリンクＢＷＰをアクティブ化するためのものである。
【０１１８】
１つの実施形態では、前記装置はさらに、
前記ネットワーク機器によって送信された第２の構成情報を受信するための第３の受信ユニット１２０４であって、前記第２の構成情報が前記第１のダウンリンクＢＷＰセット及び／又は前記第１のアップリンクＢＷＰセットに対応する第１の持続時間情報を含む第３の受信ユニット１２０４と、
前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間情報で指示された第１の持続時間に達する場合、前記第１のダウンリンクＢＷＰセットにおける各ダウンリンクＢＷＰと前記第１のアップリンクＢＷＰセットにおける各アップリンクＢＷＰを非アクティブ化するための非アクティブ化ユニット１２０５と、を含む。
【０１１９】
１つの実施形態では、前記装置はさらに、
前記ネットワーク機器によって送信された第３の構成情報を受信するための第４の受信ユニット１２０６であって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含む第４の受信ユニット１２０６と、
前記第１のダウンリンクＢＷＰと前記第１のアップリンクＢＷＰがアクティブ化された持続時間が前記第２の持続時間情報で指示された第２の持続時間に達する場合、前記第１のダウンリンクＢＷＰと前記第１のアップリンクＢＷＰを非アクティブ化するための非アクティブ化ユニット１２０５と、を含む。
【０１２０】
１つの実施形態では、前記アクティブ化ユニット１２０２はさらに、前記第１のダウンリンクＢＷＰセットにおける各ダウンリンクＢＷＰと前記第１のアップリンクＢＷＰセットにおける各アップリンクＢＷＰがいずれも非アクティブ化された場合、デフォルトのＢＷＰをアクティブ化するためのものである。
【０１２１】
１つの実施形態では、前記アクティブ化ユニット１２０２は、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰセットにおける各ダウンリンクＢＷＰと前記第２のアップリンクＢＷＰセットにおける各アップリンクＢＷＰをアクティブ化するためのものである。
【０１２２】
１つの実施形態では、前記アクティブ化ユニット１２０２は、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第２のダウンリンクＢＷＰと前記第２のアップリンクＢＷＰをアクティブ化するためのものである。
【０１２３】
１つの実施形態では、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【０１２４】
１つの実施形態では、前記装置はさらに、
前記ネットワーク機器によって送信された第４の構成情報を受信するための第５の受信ユニット１２０７であって、前記第４の構成情報が前記第２のダウンリンクＢＷＰと前記第２のアップリンクＢＷＰに対応する第３の持続時間情報を含む第５の受信ユニット１２０７と、
前記第２のダウンリンクＢＷＰと前記第２のアップリンクＢＷＰがアクティブ化された持続時間が前記第３の持続時間情報で指示された第３の持続時間に達する場合、前記第２のダウンリンクＢＷＰセットにおける各ダウンリンクＢＷＰと前記第２のアップリンクＢＷＰセットにおける各アップリンクＢＷＰを非アクティブ化するための非アクティブ化ユニット１２０５と、を含む。
【０１２５】
１つの実施形態では、前記装置はさらに、
前記ネットワーク機器によって送信された第５の構成情報を受信するための第６の受信ユニット１２０８であって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含む第６の受信ユニット１２０８と、
前記第３のダウンリンクＢＷＰと前記第３のアップリンクＢＷＰがアクティブ化された持続時間が前記第４の持続時間情報で指示された第４の持続時間に達する場合、前記第３のダウンリンクＢＷＰと前記第３のアップリンクＢＷＰを非アクティブ化するための非アクティブ化ユニット１２０５であって、前記第３のダウンリンクＢＷＰが前記第２のダウンリンクＢＷＰとは異なり、前記第３のアップリンクＢＷＰが前記第２のアップリンクＢＷＰとは異なる非アクティブ化ユニット１２０５と、を含む。
【０１２６】
１つの実施形態では、前記アクティブ化ユニット１２０２はさらに、前記第２のダウンリンクＢＷＰセットにおける各ダウンリンクＢＷＰと前記第２のアップリンクＢＷＰセットにおける各アップリンクＢＷＰがいずれも非アクティブ化された場合、デフォルトのＢＷＰをアクティブ化するためのものである。
【０１２７】
当業者は、図１２に示すようなリソース構成装置における各ユニットの実現機能が前述したリソース構成方法の関連説明を参照して理解できることを理解すべきである。図１２に示すようなリソース構成装置における各ユニットの機能がプロセッサで実行されているプログラムによって実現されてもよく、具体的なロジック回路によって実現されてもよい。
【０１２８】
図１３は、本開示の実施例に係るリソース構成装置の構造構成概略図２であり、図１３に示すように、前記リソース構成装置は、
端末に第１の制御情報を送信するための第１の送信ユニット１３０１であって、前記第１の制御情報が第１の指示情報を含み、前記第１の指示情報がアクティブ化しようとする少なくとも２つのダウンリンクＢＷＰと少なくとも２つのアップリンクＢＷＰを決定するためのものであり、これにより前記端末は前記第１の制御情報に基づき、少なくとも２つのダウンリンクＢＷＰと少なくとも２つのアップリンクＢＷＰをアクティブ化する第１の送信ユニット１３０１を含む。
【０１２９】
１つの実施形態では、前記装置はさらに、
前記端末に第１の構成情報を送信するための第２の送信ユニット１３０２であって、前記第１の構成情報が少なくとも１つのダウンリンクＢＷＰセットと少なくとも１つのアップリンクＢＷＰセットの構成情報を含み、前記少なくとも１つのダウンリンクＢＷＰセットにおける各ダウンリンクＢＷＰセットが複数のダウンリンクＢＷＰを含み、前記少なくとも１つのアップリンクＢＷＰセットにおける各アップリンクＢＷＰセットが複数のアップリンクＢＷＰを含む第２の送信ユニット１３０２を含む。
【０１３０】
１つの実施形態では、前記第１の指示情報が第１のダウンリンクＢＷＰセット又は第１のアップリンクＢＷＰセットの指示情報である場合、前記第１の指示情報は前記端末に前記第１のダウンリンクＢＷＰセットにおける各ダウンリンクＢＷＰと前記第１のアップリンクＢＷＰセットにおける各アップリンクＢＷＰをアクティブ化させるためのものである。
【０１３１】
１つの実施形態では、前記装置はさらに、
前記端末に第２の構成情報を送信するための第３の送信ユニット１３０３であって、前記第２の構成情報が前記第１のダウンリンクＢＷＰセット及び／又は前記第１のアップリンクＢＷＰセットに対応する第１の持続時間情報を含む第３の送信ユニット１３０３を含み、
前記第１の持続時間情報が、前記第１のダウンリンクＢＷＰセットにおける各ダウンリンクＢＷＰと前記第１のアップリンクＢＷＰセットにおける各アップリンクＢＷＰがアクティブ化された持続時間が前記第１の持続時間情報で指示された第１の持続時間に達する場合、前記端末に前記第１のダウンリンクＢＷＰセットにおける各ダウンリンクＢＷＰと前記第１のアップリンクＢＷＰセットにおける各アップリンクＢＷＰを非アクティブ化させるためのものである。
【０１３２】
１つの実施形態では、前記装置はさらに、
前記端末に第３の構成情報を送信するための第４の送信ユニット１３０４であって、前記第３の構成情報が前記第１のダウンリンクＢＷＰセットにおける第１のダウンリンクＢＷＰと前記第１のアップリンクＢＷＰセットにおける第１のアップリンクＢＷＰに対応する第２の持続時間情報を含む第４の送信ユニット１３０４を含み、
前記第２の持続時間情報が、前記第１のダウンリンクＢＷＰと前記第１のアップリンクＢＷＰがアクティブ化された持続時間が前記第２の持続時間情報で指示された第２の持続時間に達する場合、前記端末に前記第１のダウンリンクＢＷＰと前記第１のアップリンクＢＷＰを非アクティブ化させるためのものである。
【０１３３】
１つの実施形態では、前記第１の構成情報に基づいて第２のダウンリンクＢＷＰセットにおける各ダウンリンクＢＷＰと第２のアップリンクＢＷＰセットにおける各アップリンクＢＷＰが所定の規則を満たすことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰセットにおける各ダウンリンクＢＷＰと前記第２のアップリンクＢＷＰセットにおける各アップリンクＢＷＰをアクティブ化させるためのものである。
【０１３４】
１つの実施形態では、前記第１の構成情報に基づいて第２のダウンリンクＢＷＰセットにおける各ダウンリンクＢＷＰ又は第２のアップリンクＢＷＰセットにおける各アップリンクＢＷＰが所定の規則を満たさないことが決定され、且つ前記第１の指示情報が前記第２のダウンリンクＢＷＰセットにおける第２のダウンリンクＢＷＰの指示情報又は前記第２のアップリンクＢＷＰセットにおける第２のアップリンクＢＷＰの指示情報である場合、前記第１の指示情報は前記端末に前記第２のダウンリンクＢＷＰと前記第２のアップリンクＢＷＰをアクティブ化させるためのものである。
【０１３５】
１つの実施形態では、前記第２のダウンリンクＢＷＰセットにおける各ダウンリンクＢＷＰと第２のアップリンクＢＷＰセットにおける各アップリンクＢＷＰが所定の規則を満たすことは、
前記第２のダウンリンクＢＷＰセットにおける各ダウンリンクＢＷＰの周波数ドメイン位置と帯域幅の大きさが一致し、且つ前記第２のアップリンクＢＷＰセットにおける各アップリンクＢＷＰの周波数ドメイン位置と帯域幅の大きさが一致すること、または、
前記第２のダウンリンクＢＷＰセットにおいて前記第２のダウンリンクＢＷＰ以外の各ダウンリンクＢＷＰの周波数ドメイン範囲が前記第２のダウンリンクＢＷＰの周波数ドメイン範囲内にあり、且つ前記第２のアップリンクＢＷＰセットにおいて前記第２のアップリンクＢＷＰ以外の各アップリンクＢＷＰの周波数ドメイン範囲が前記第２のアップリンクＢＷＰの周波数ドメイン範囲内にあること、または、
前記端末の無線周波数帯域幅機能が前記第２のダウンリンクＢＷＰセットにおいて各ダウンリンクＢＷＰの周波数ドメイン範囲と前記第２のアップリンクＢＷＰセットにおいて各アップリンクＢＷＰの周波数ドメイン範囲を同時にカバーできることを含む。
【０１３６】
１つの実施形態では、前記装置はさらに、
前記端末に第４の構成情報を送信するための第５の送信ユニット１３０５を含み、前記第４の構成情報が前記第２のダウンリンクＢＷＰと前記第２のアップリンクＢＷＰに対応する第３の持続時間情報を含む第５の送信ユニット１３０５を含み、
前記第３の持続時間情報が、前記第２のダウンリンクＢＷＰと前記第２のアップリンクＢＷＰがアクティブ化された持続時間が前記第３の持続時間情報で指示された第３の持続時間に達する場合、前記端末に前記第２のダウンリンクＢＷＰセットにおける各ダウンリンクＢＷＰと前記第２のアップリンクＢＷＰセットにおける各アップリンクＢＷＰを非アクティブ化させるためのものである。
【０１３７】
１つの実施形態では、前記装置はさらに、
前記端末に第５の構成情報を送信するための第６の送信ユニット１３０６であって、前記第５の構成情報が前記第２のダウンリンクＢＷＰセットにおける第３のダウンリンクＢＷＰと前記第２のアップリンクＢＷＰセットにおける第３のアップリンクＢＷＰに対応する第４の持続時間情報を含む第６の送信ユニット１３０６を含み、
前記第４の持続時間情報が、前記第３のダウンリンクＢＷＰと前記第３のアップリンクＢＷＰがアクティブ化された持続時間が前記第４の持続時間情報で指示された第４の持続時間に達する場合、前記端末に前記第３のダウンリンクＢＷＰと前記第３のアップリンクＢＷＰを非アクティブ化させるためのものであり、前記第３のダウンリンクＢＷＰが前記第２のダウンリンクＢＷＰとは異なり、前記第３のアップリンクＢＷＰが前記第２のアップリンクＢＷＰとは異なる。
【０１３８】
当業者は、図１３に示すようなリソース構成装置における各ユニットの実現機能が前述したリソース構成方法の関連説明を参照して理解できることを理解すべきである。図１３に示すようなリソース構成装置における各ユニットの機能がプロセッサで実行されているプログラムによって実現されてもよく、具体的なロジック回路によって実現されてもよい。
【０１３９】
本開示の実施例による上記リソース構成装置は、ソフトウェア機能モジュールの形で実施され、独立した製品として販売または使用される場合、１つのコンピュータ可読記憶媒体に記憶されてもよい。このような理解に基づき、本開示の実施例の技術的解決手段は、本質的にソフトウェア製品の形で具現化されてもよいか、又は従来の技術に寄与する部分がソフトウェア製品の形で具現化されてもよい。該コンピューターソフトウェア製品は、１つの記憶媒体に記憶され、コンピュータ機器（パーソナルコンピュータ、サーバ、又はネットワーク機器などであってもよい）に、本開示の各実施例の前記方法のすべて又は一部を実行させるためのいくつかの命令を含む。前述した記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスク、又はコンパクトディスクなどプログラムコードを記憶できる様々な媒体を含む。このように、本開示の実施例は特定したハードウェアとソフトウェアの任意の組み合わせに限定されない。
【０１４０】
対応的に、本開示の実施例はさらに、コンピュータ記憶媒体を提供し、前記コンピュータ記憶媒体にコンピュータ実行可能な命令が記憶され、該コンピュータ実行可能な命令がプロセッサによって実行される時、本開示の実施例に係る上記リソース構成方法を実現する。
【０１４１】
図１４は、本開示の実施例に係るコンピュータ機器の構造構成概略図であり、該コンピュータ機器は、端末であってもよく、ネットワーク機器であってもよい。図１４に示すように、コンピュータ機器１００は、１つ又は複数（１つのみが図示されている）のプロセッサ１００２（プロセッサ１００２は、マイクロプロセッサ（ＭＣＵ、Ｍｉｃｒｏ  Ｃｏｎｔｒｏｌｌｅｒ  Ｕｎｉｔ）又はフィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）などの処理装置を含んでもよいが、それらに限定されない）、データを記憶するためのメモリ１００４、及び通信機能用の伝送装置１００６を含んでもよい。当業者は、図１４に示すような構造が例示的なものにすぎず、上記電子装置の構造を限定するようなものではないと理解できる。例えば、コンピュータ機器１００はさらに、図１４に示したコンポーネントより数多く又は数少ないコンポーネントを含んでもよく、または、図１４に示した構成と異なる構成を持ってもよい。
【０１４２】
メモリ１００４は、本開示の実施例における方法に対応するプログラム命令／モジュールなどのアプリケーションプログラムのソフトウェアプログラム及びモジュールを記憶するために使用され得る。プロセッサ１００２は、メモリ１００４に記憶されたソフトウェアプログラム及びモジュールを実行することにより、様々な機能アプリケーション及びデータ処理を実行し、即ち、上記方法を実現する。メモリ１００４は、高速ランダムアクセスメモリを含んでもよく、また、例えば、１つ又は複数の磁気記憶装置、フラッシュメモリ、又は他の不揮発性ソリッドステートメモリなどの不揮発性メモリを含んでもよい。いくつかの実例では、メモリ１００４は、プロセッサ１００２に対してリモートで設置されたメモリをさらに含んでもよく、これらのリモートメモリは、ネットワークを介してコンピュータ機器１００に接続することができる。上記ネットワークの実例は、インターネット、イントラネット、ローカルエリアネットワーク、モバイル通信ネットワーク、及びそれらの組み合わせを含むが、それらに限定されない。
【０１４３】
伝送装置１００６は、１つのネットワークを介してデータを受信又は送信するためのものである。上記のネットワークの具体的な実例は、コンピュータ機器１００の通信事業者が提供する無線ネットワークを含んでもよい。１つの実例では、伝送装置１００６は、基地局を介して他のネットワークデバイスに接続することによってインターネットと通信することができる１つのネットワークインタフェースコントローラ（ＮＩＣ、Ｎｅｔｗｏｒｋ  Ｉｎｔｅｒｆａｃｅ  Ｃｏｎｔｒｏｌｌｅｒ）を含む。１つの実例では、伝送装置１００６は、無線の方式でインターネットと通信するための無線周波数（ＲＦ、Ｒａｄｉｏ  Ｆｒｅｑｕｅｎｃｙ）モジュールであってもよい。
【０１４４】
本開示の実施例に記載の技術的解決手段は、競合することなく任意に組み合わせることができる。
【０１４５】
本開示に係るいくつかの実施例では、開示された方法及びスマート機器は、他の方式で実現することができると理解すべきである。以上に説明された機器の実施例は例示的なものにすぎず、例えば、前記ユニットの分割は、論理機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、表示又は検討した各構成部分の互いの結合又は直接的な結合又は通信接続は、いくつかのインタフェース、機器又はユニットを用いる間接的接続又は通信接続であってもよく、電気的形態、機械的形態又はその他の形態であってもよい。
【０１４６】
上記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。実際の必要に応じて、一部のユニットだけを用いるか、又はすべてのユニットを使用して本実施例に係る解決手段の目的を達成することができる。
【０１４７】
また、本開示の各実施例では、各機能ユニットが１つの第２の処理ユニットに集積されてもよいが、各ユニットがそれぞれ単独で１つのユニットとして存在するか、又は２つかまたは２つ以上のユニットが１つのユニットに集積されてもよい。上記集積されたユニットはハードウェアの形で実現されてもよく、ハードウェアとソフトウェア機能ユニットの形で実現されてもよい。
【０１４８】
以上の内容は、本開示の具体的実施形態にすぎず、本開示の保護範囲はこれらに限定されず、当業者であれば、本開示で開示される技術的範囲内に、容易に想像しうる全ての変更又は置換は、いずれも本開示の保護範囲内に含まれるべきである。
【国際調査報告】
2021516893.tif 000027
2021516893.tif 000028
2021516893.tif 000029
2021516893.tif 000030